(57)【要約】【課題】汚染区域の放射線の線量を労力をかけずに短時間で広範囲に測定することができ、放射線の線量分布を効率的に測定することができる線量測定方法を提供する。【解決手段】線量測定方法は、長さ方向へ長い長尺の長尺線材１１と所定の固定手段を介して長尺線材１１に長さ方向へ所定間隔離間して取り付けられた複数の光刺激ルミネセンス線量１２計とから形成された線量測定具１０Ａを利用し、線量測定具１０Ａを長さ方向へ延ばした状態で汚染区域に所定時間放置して汚染区域の放射線の線量分布を測定する。【選択図】図１
2017037009.tif 000002
【特許請求の範囲】
【請求項１】
放射線に被ばくした汚染区域の該放射線の線量を測定する線量測定方法において、
前記線量測定方法が、長さ方向へ長い長尺の支持部材と所定の固定手段を介して前記支持部材に長さ方向へ所定間隔離間して取り付けられた複数の受動型線量計とから形成された線量測定具を利用し、前記線量測定具を長さ方向へ伸長させた状態で前記汚染区域に所定時間放置し、それら受動型線量計によって該汚染区域の放射線の線量分布を測定することを特徴とする線量測定方法。
【請求項２】
前記線量測定方法では、前記線量測定具を前記汚染区域において前後方向へ伸長し、それら受動型線量計を前後方向へ分散させた状態で該線量測定具を該汚染区域に所定時間放置し、それら受動型線量計によって該汚染区域の水平方向の放射線の線量分布を測定する請求項１に記載の線量測定方法。
【請求項３】
前記線量測定方法では、前後方向へ伸長させた状態の複数の前記線量測定具を前記汚染区域において横方向へ所定寸法離間させて並べ、それら受動型線量計を前後方向と横方向とへ分散させた状態でそれら線量測定具を該汚染区域に所定時間放置し、それら受動型線量計によって該汚染区域の水平方向の放射線の線量分布を測定する請求項２に記載の線量測定方法。
【請求項４】
前記線量測定具では、前記支持部材が前後方向へ延びていて横方向へ所定寸法離間して並ぶ複数の第１支持部材と横方向へ延びていて前後方向へ所定寸法離間して並ぶ複数の第２支持部材とから形成され、前記第１および第２支持部材の交差箇所が連結されて該第１および第２支持部材が二次元に広がる平面的なネットを形成し、前記線量測定方法では、前記第１支持部材を前後方向へ伸長し、前記第２支持部材を横方向へ伸長し、それら受動型線量計を前後方向と横方向とへ分散させた状態で前記ネットを前記汚染区域に所定時間放置し、それら受動型線量計によって該汚染区域の水平方向の放射線の線量分布を測定する請求項１に記載の線量測定方法。
【請求項５】
前記線量測定方法では、前記線量測定具を前記汚染区域において上下方向へ伸長し、それら受動型線量計を上下方向へ分布させた状態で該線量測定具を該汚染区域に所定時間放置し、それら受動型線量計によって該汚染区域の垂直方向の放射線の線量分布を測定する請求項１に記載の線量測定方法。
【請求項６】
前記線量測定方法では、上下方向へ伸長させた状態の複数の前記線量測定具を前記汚染区域において横方向と前後方向との少なくとも一方へ所定寸法離間させて並べ、それら受動型線量計を上下方向と横方向と前後方向とへ分布させた状態でそれら線量測定具を該汚染区域に所定時間放置し、それら受動型線量計によって該汚染区域の垂直方向の放射線の線量分布を測定する請求項５に記載の線量測定方法。
【請求項７】
前記線量測定方法では、所定の吊り下げ手段を利用して前記線量測定具を前記汚染区域において上方から下方へ向かって吊り下げる請求項５または請求項６に記載の線量測定方法。
【請求項８】
前記吊り下げ手段が、長尺の支持ロッドであり、前記線量測定具の一端部が、前記支持ロッドの先端部に連結されている請求項７に記載の線量測定方法。
【請求項９】
前記吊り下げ手段が、前記汚染区域の上空でホバリングするドローンであり、前記線量測定具の一端部が、前記ドローンに連結されている請求項７に記載の線量測定方法。
【請求項１０】
前記ドローンが、前記線量測定具を上下方向へ繰り出し可能に巻き取ったリールと、前記汚染区域の上空で前記リールを回転させる回転機構とを備えている請求項９に記載の線量測定方法。
【請求項１１】
前記線量測定具では、前記支持部材が上下方向へ延びていて横方向へ所定寸法離間して並ぶ複数の第１支持部材と横方向へ延びていて上下方向へ所定寸法離間して並ぶ複数の第２支持部材とから形成され、前記第１および第２支持部材の交差箇所が連結されて該第１および第２支持部材が二次元に広がる平面的な第１ネットを形成し、前記線量測定方法では、前記第１支持部材を上下方向へ伸長し、前記第２支持部材を横方向へ伸長し、それら受動型線量計を上下方向と横方向とへ分散させた状態で前記第１ネットを前記汚染区域に所定時間放置し、それら受動型線量計によって該汚染区域の垂直方向の放射線の線量分布を測定する請求項１に記載の線量測定方法。
【請求項１２】
前記線量測定具では、前記支持部材が上下方向へ延びていて横方向および前後方向へ所定寸法離間して並ぶ複数の第１支持部材と横方向へ延びていて前後方向へ所定寸法離間して並ぶ複数の第２支持部材と前後方向へ延びていて上下方向および横方向へ所定寸法離間して並ぶ複数の第３支持部材とから形成され、前記第１〜第３支持部材の交差箇所が連結されて該第１〜第３長尺線材が三次元に広がる立体的な第２ネットを形成し、前記線量測定方法では、前記第１支持部材を上下方向へ伸長し、前記第２支持部材を横方向へ伸長するとともに、前記第３支持部材を前後方向へ伸長し、それら受動型線量計を上下方向と前後方向と横方向とへ分散させた状態で前記第２ネットを前記汚染区域に所定時間放置し、それら受動型線量計によって該汚染区域の垂直方向の放射線の線量分布を測定する請求項１に記載の線量測定方法。
【請求項１３】
前記線量測定方法では、所定の吊り下げ手段を利用して前記第１ネットまたは前記第２ネットを前記汚染区域において上方から下方へ向かって吊り下げる請求項１１または請求項１２に記載の線量測定方法。
【請求項１４】
前記支持部材が、長さ方向へ直状に延びるフレキシブルな長尺線材であり、前記固定手段が、互いに重なり合う熱可塑性合成樹脂シートを水密にシールすることから作られて前記受動型線量計を水密に密封するとともに所定重量のおもりを収容する包装袋と、前記長尺線材および前記包装袋を連結する連結線材とから形成されている請求項１ないし請求項１３いずれかに記載の線量測定方法。
【請求項１５】
前記包装袋が、互いに重なり合う熱可塑性合成樹脂フィルムから作られ、前記受動型線量計を密封する第１収容部と、前記おもりを収容する第２収容部とを有し、前記第１および第２収容部の周縁に延びるそれら熱可塑性合成樹脂フィルムどうしが、水密にシールされ、前記連結線材が、前記包装袋の第２収容部に収容された前記おもりに連結されている請求項１４に記載の線量測定方法。
【請求項１６】
前記長尺線材が、その一端部と他端部とに取り付けられ、該長尺線材のそれら端部を地表に接地させ、または、該長尺線材のそれら端部を水底に接地させる一対の接地手段を含む請求項１４または請求項１５に記載の線量測定方法。
【請求項１７】
前記長尺線材が、その一端部と他端部とに取り付けられて水面に浮上する浮子を含む請求項１４ないし請求項１６いずれかに記載の線量測定方法。
【請求項１８】
前記長尺線材が、その一端部に取り付けられて該長尺線材の重量を増加させる安定おもりを含む請求項１４または請求項１５に記載の線量測定方法。
【請求項１９】
前記支持部材が、長さ方向へ直状に延びる熱可塑性合成樹脂製のフレキシブルな長尺シート材であり、前記固定手段が、前記受動型線量計に隣接する前記長尺シート材をシールして作られて長さ方向へ所定間隔離間して並ぶ複数の密封スペースであり、それら刺激ルミネセンス線量計が、それら密封スペースに水密かつ個別に密封されている請求項１ないし請求項１３いずれかに記載の線量測定方法。
【請求項２０】
前記長尺シート材が、前記密封スペースに個別に密封された所定重量のおもりを含む請求項１９に記載の線量測定方法。
【請求項２１】
前記長尺シート材が、その一端部と他端部とに取り付けられ、該長尺シート材のそれら端部を地表に接地させ、または、該長尺シート材のそれら端部を水底に接地させる一対の接地手段を含む請求項１９または請求項２０に記載の線量測定方法。
【請求項２２】
前記長尺シート材が、その一端部と他端部とに取り付けられて水面に浮上する浮子を含む請求項１９ないし請求項２１いずれかに記載の線量測定方法。
【請求項２３】
前記長尺シート材が、その一端部に取り付けられて該長尺シート材の重量を増加させる安定おもりを含む請求項１９または請求項２０に記載の線量測定方法。
【請求項２４】
前記線量測定具が、地中に突き刺す長さ方向へ長い長尺の突き刺しロッドを含み、前記線量測定具では、前記長尺シート材を前記突き刺しロッドの軸方向へ直状に伸長させた状態で該長尺シート材が該突き刺しロッドに固定され、前記線量測定方法では、前記突き刺しロッドを前記汚染区域の地中に突き刺した状態で前記線量測定具を地中に所定時間放置し、それら受動型線量計によって該地中の放射線の線量分布を測定する線量測定方法。
【請求項２５】
前記突き刺しロッドには、該突き刺しロッドを地中へ突き刺したときの該地中への突き刺し長さを示す目盛りが表示され、前記線量測定方法では、前記目盛りを視認しつつ、前記突き刺しロッドの地中への突き刺し長さを調節する請求項２４に記載の線量測定方法。
【請求項２６】
前記突き刺しロッドには、その上端部から軸方向へ延びる伸縮可能な伸縮棒が着脱可能に取り付けられ、前記線量測定方法では、前記伸縮棒を利用して深奥に存在する地中に前記突き刺しロッドを突き刺す請求項２４または請求項２５に記載の線量測定方法。
【請求項２７】
前記突き刺しロッドには、その上端部から軸方向へ延びる長尺の紐が取り付けられ、前記紐の上端部には、水面に浮上する浮子が連結され、前記線量測定方法では、前記伸縮棒を利用して前記突き刺しロッドを水底の地中に突き刺した後、前記紐に連結された浮子を水面に浮上させた状態で前記線量測定具を地中に所定時間放置し、それら受動型線量計によって該地中の放射線の線量分布を測定する請求項２６に記載の線量測定方法。
【請求項２８】
前記受動型線量計が、光刺激ルミネセンス線量計、熱ルミネッセンス線量計、蛍光ガラス線量計のうちのいずれかである請求項１ないし請求項２７いずれかに記載の線量測定方法。
【発明の詳細な説明】
【技術分野】
【０００１】
本発明は、放射線に被ばくした汚染区域の線量を測定する線量測定方法に関する。
【背景技術】
【０００２】
所定長を有する伸縮可能なロッドと、ロッドの先端側からの距離が異なる箇所に配置された複数の放射線検出器と、ロッドの末端側に配置した位置情報取得手段と、放射線検出器による検出結果に基づく線量と位置情報取得手段により得られた位置情報を出力する測定データ出力手段とから形成された可搬型放射線測定装置が開示されている（特許文献１参照）。
【先行技術文献】
【特許文献】
【０００３】
【特許文献１】特開２０１４−２０９１１８号公報
【発明の概要】
【発明が解決しようとする課題】
【０００４】
前記特許文献１に開示の可搬型放射線測定装置は、異なる地上高における環境線量および位置情報等の個別の測定データをその場で統合処理し、環境線量地図を表示することができる。放射線の汚染は、局地的なそれよりも、広い区域にわたる場合が多く、各汚染区域の放射線汚染を除線する前提として各区域における放射線の線量分布を測定する必要がある。放射線の線量分布は、大地や水中等を水平方向へ測定して平面的な線量分布を調査するのみならず、建造物、森林や山谷等の起伏地を垂直方向へ測定して立体的な線量分布を調査する必要がある。
【０００５】
従来、水平方向および垂直方向の平面的または立体的な放射線の線量分布の測定では、汚染区域に多数の測定箇所を設定した後、測定者が放射線測定器によってそれら測定箇所を１カ所毎に測定し、または、測定者が大地の土や水底の泥、建造物の壁の一部や屋根の一部、森林の木の枝や葉、山谷の土や石を採取してそれらを１点ごとに放射線測定器によって測定していた。従来の測定方法では、測定作業に膨大な時間や労力がかかり、効率的な測定を行うことができない。また、各測定箇所を同時に測定することができず、測定箇所における測定時間にずれが生じ、汚染区域の正確な線量を測定することができなかった。なお、前記特許文献１に開示の可搬型放射線測定装置においても、汚染区域の線量を広範囲に測定することはできない。
【０００６】
本発明の目的は、汚染区域の放射線の線量を労力をかけずに短時間で広範囲に測定することができ、放射線の線量分布を効率的に測定することができる線量測定方法を提供することにある。本発明の他の目的は、汚染区域の広い範囲の放射線の線量を同時に測定することができ、汚染区域の正確な線量を測定することができる線量測定方法を提供することにある。
【課題を解決するための手段】
【０００７】
前記課題を解決するための本発明の前提は、放射線に被ばくした汚染区域の該放射線の線量を測定する線量測定方法である。
【０００８】
前記前提における本発明の放射線測定方法の特徴は、線量測定方法が、長さ方向へ長い長尺の支持部材と所定の固定手段を介して支持部材に長さ方向へ所定間隔離間して取り付けられた複数の受動型線量計とから形成された線量測定具を利用し、線量測定具を長さ方向へ伸長させた状態で汚染区域に所定時間放置し、それら受動型線量計によって汚染区域の放射線の線量分布を測定することにある。
【０００９】
本発明の放射線測定方法の一例としては、線量測定具を汚染区域において前後方向へ伸長し、それら受動型線量計を前後方向へ分散させた状態で線量測定具を汚染区域に所定時間放置し、それら受動型線量計によって汚染区域の水平方向の放射線の線量分布を測定する。
【００１０】
本発明の放射線測定方法の他の一例としては、前後方向へ伸長させた状態の複数の線量測定具を汚染区域において横方向へ所定寸法離間させて並べ、それら受動型線量計を前後方向と横方向とへ分散させた状態でそれら線量測定具を汚染区域に所定時間放置し、それら受動型線量計によって汚染区域の水平方向の放射線の線量分布を測定する。
【００１１】
本発明の放射線測定方法の他の一例としては、支持部材が前後方向へ延びていて横方向へ所定寸法離間して並ぶ複数の第１支持部材と横方向へ延びていて前後方向へ所定寸法離間して並ぶ複数の第２支持部材とから形成され、前記第１および第２支持部材の交差箇所が連結されて第１および第２支持部材が二次元に広がる平面的なネットを形成し、線量測定方法では、第１支持部材を前後方向へ伸長し、第２支持部材を横方向へ伸長し、それら受動型線量計を前後方向と横方向とへ分散させた状態でネットを汚染区域に所定時間放置し、それら受動型線量計によって汚染区域の水平方向の放射線の線量分布を測定する。
【００１２】
本発明の放射線測定方法の他の一例としては、線量測定具を汚染区域において上下方向へ伸長し、それら受動型線量計を上下方向へ分布させた状態で線量測定具を汚染区域に所定時間放置し、それら受動型線量計によって汚染区域の垂直方向の放射線の線量分布を測定する。
【００１３】
本発明の放射線測定方法の他の一例としては、上下方向へ伸長させた状態の複数の線量測定具を汚染区域において横方向と前後方向との少なくとも一方へ所定寸法離間させて並べ、それら受動型線量計を上下方向と横方向と前後方向とへ分布させた状態でそれら線量測定具を汚染区域に所定時間放置し、それら受動型線量計によって汚染区域の垂直方向の放射線の線量分布を測定する。
【００１４】
本発明の放射線測定方法の他の一例としては、所定の吊り下げ手段を利用して線量測定具を汚染区域において上方から下方へ向かって吊り下げる。
【００１５】
本発明の放射線測定方法の他の一例としては、吊り下げ手段が長尺の支持ロッドであり、線量測定具の一端部が支持ロッドの先端部に連結されている。
【００１６】
本発明の放射線測定方法の他の一例としては、吊り下げ手段が汚染区域の上空でホバリングするドローンであり、線量測定具の一端部がドローンに連結されている。
【００１７】
本発明の放射線測定方法の他の一例としては、ドローンが線量測定具を上下方向へ繰り出し可能に巻き取ったリールと汚染区域の上空でリールを回転させる回転機構とを備えている。
【００１８】
本発明の放射線測定方法の他の一例として、線量測定具では、支持部材が上下方向へ延びていて横方向へ所定寸法離間して並ぶ複数の第１支持部材と横方向へ延びていて上下方向へ所定寸法離間して並ぶ複数の第２支持部材とから形成され、第１および第２支持部材の交差箇所が連結されて第１および第２支持部材が二次元に広がる平面的な第１ネットを形成し、線量測定方法では、第１支持部材を上下方向へ伸長し、第２支持部材を横方向へ伸長し、それら受動型線量計を上下方向と横方向とへ分散させた状態で第１ネットを汚染区域に所定時間放置し、それら受動型線量計によって汚染区域の垂直方向の放射線の線量分布を測定する。
【００１９】
本発明の放射線測定方法の他の一例として、線量測定具では、支持部材が上下方向へ延びていて横方向および前後方向へ所定寸法離間して並ぶ複数の第１支持部材と横方向へ延びていて前後方向へ所定寸法離間して並ぶ複数の第２支持部材と前後方向へ延びていて上下方向および横方向へ所定寸法離間して並ぶ複数の第３支持部材とから形成され、第１〜第３支持部材の交差箇所が連結されて第１〜第３長尺線材が三次元に広がる立体的な第２ネットを形成し、線量測定方法では、第１支持部材を上下方向へ伸長し、第２支持部材を横方向へ伸長するとともに、第３支持部材を前後方向へ伸長し、それら受動型線量計を上下方向と前後方向と横方向とへ分散させた状態で第２ネットを汚染区域に所定時間放置し、それら受動型線量計によって汚染区域の垂直方向の放射線の線量分布を測定する。
【００２０】
本発明の放射線測定方法の他の一例としては、所定の吊り下げ手段を利用して第１ネットまたは第２ネットを汚染区域において上方から下方へ向かって吊り下げる。
【００２１】
本発明の放射線測定方法の他の一例としては、支持部材が長さ方向へ直状に延びるフレキシブルな長尺線材であり、固定手段が互いに重なり合う熱可塑性合成樹脂シートを水密にシールすることから作られて受動型線量計を水密に密封するとともに所定重量のおもりを収容する包装袋と長尺線材および包装袋を連結する連結線材とから形成されている。
【００２２】
本発明の放射線測定方法の他の一例としては、包装袋が互いに重なり合う熱可塑性合成樹脂フィルムから作られ、受動型線量計を密封する第１収容部とおもりを収容する第２収容部とを有し、第１および第２収容部の周縁に延びるそれら熱可塑性合成樹脂フィルムどうしが水密にシールされ、連結線材が包装袋の第２収容部に収容されたおもりに連結されている。
【００２３】
本発明の放射線測定方法の他の一例としては、長尺線材がその一端部と他端部とに取り付けられて長尺線材のそれら端部を地表に接地させ、または、長尺線材のそれら端部を水底に接地させる一対の接地手段を含む。
【００２４】
本発明の放射線測定方法の他の一例としては、長尺線材がその一端部と他端部とに取り付けられて水面に浮上する浮子を含む。
【００２５】
本発明の放射線測定方法の他の一例としては、長尺線材がその一端部に取り付けられて長尺線材の重量を増加させる安定おもりを含む。
【００２６】
本発明の放射線測定方法の他の一例としては、支持部材が長さ方向へ直状に延びる熱可塑性合成樹脂製のフレキシブルな長尺シート材であり、固定手段が受動型線量計に隣接する長尺シート材をシールして作られて長さ方向へ所定間隔離間して並ぶ複数の密封スペースであり、それら刺激ルミネセンス線量計がそれら密封スペースに水密かつ個別に密封されている。
【００２７】
本発明の放射線測定方法の他の一例としては、長尺シート材が密封スペースに個別に密封された所定重量のおもりを含む。
【００２８】
本発明の放射線測定方法の他の一例としては、長尺シート材がその一端部と他端部とに取り付けられて長尺シート材のそれら端部を地表に接地させ、または、長尺シート材のそれら端部を水底に接地させる一対の接地手段を含む。
【００２９】
本発明の放射線測定方法の他の一例としては、長尺シート材がその一端部と他端部とに取り付けられて水面に浮上する浮子を含む。
【００３０】
本発明の放射線測定方法の他の一例としては、長尺シート材がその一端部に取り付けられて長尺シート材の重量を増加させる安定おもりを含む。
【００３１】
本発明の放射線測定方法の他の一例としては、線量測定具が、地中に突き刺す長さ方向へ長い長尺の突き刺しロッドを含み、線量測定具では、長尺シート材を突き刺しロッドの軸方向へ直状に伸長させた状態で長尺シート材が突き刺しロッドに固定され、線量測定方法では、突き刺しロッドを汚染区域の地中に突き刺した状態で線量測定具を地中に所定時間放置し、それら受動型線量計によって地中の放射線の線量分布を測定する。
【００３２】
本発明の放射線測定方法の他の一例として、突き刺しロッドには、突き刺しロッドを地中へ突き刺したときの地中への突き刺し長さを示す目盛りが表示され、線量測定方法では、目盛りを視認しつつ、突き刺しロッドの地中への突き刺し長さを調節する。
【００３３】
本発明の放射線測定方法の他の一例として、突き刺しロッドには、その上端部から軸方向へ延びる伸縮可能な伸縮棒が着脱可能に取り付けられ、線量測定方法では、伸縮棒を利用して深奥に存在する地中に突き刺しロッドを突き刺す。
【００３４】
本発明の放射線測定方法の他の一例としては、突き刺しロッドには、その上端部から軸方向へ延びる長尺の紐が取り付けられ、紐の上端部には、水面に浮上する浮子が連結され、線量測定方法では、伸縮棒を利用して突き刺しロッドを水底の地中に突き刺した後、紐に連結された浮子を水面に浮上させた状態で線量測定具を地中に所定時間放置し、それら受動型線量計によって地中の放射線の線量分布を測定する。
【００３５】
本発明の放射線測定方法の他の一例としては、受動型線量計が光刺激ルミネセンス線量計、熱ルミネッセンス線量計、蛍光ガラス線量計のうちのいずれかである。
【発明の効果】
【００３６】
本発明にかかる線量測定方法によれば、長さ方向へ長い長尺の支持部材とその支持部材に長さ方向へ所定間隔離間して取り付けられた複数の受動型線量計とから形成された線量測定具を利用し、線量測定具を長さ方向へ伸長させた状態で、線量測定具を汚染区域に所定時間放置することで、各受動型線量計が汚染区域において所定間隔で分散（分布）しつつ、それら受動型線量計によって汚染区域の放射線の線量が広範囲に測定されるから、汚染区域の広い範囲の線量を労力をかけずに短時間で測定することができ、汚染区域の放射線の線量分布を効率的に測定することができる。
【００３７】
線量測定具を汚染区域において前後方向へ伸長し、それら受動型線量計を前後方向へ分散させた状態で線量測定具を汚染区域に所定時間放置し、それら受動型線量計によって汚染区域の水平方向の放射線の線量分布を測定する線量測定方法は、線量測定具を前後方向へ伸長させた状態で、線量測定具を汚染区域に所定時間放置することで、各受動型線量計が汚染区域において前後方向へ所定間隔で分散（分布）しつつ、それら受動型線量計によって汚染区域の水平方向の放射線の線量が測定されるから、汚染区域の水平方向の線量を労力をかけずに短時間で広範囲に測定することができ、汚染区域の水平方向の平面的な放射線の線量分布を効率的に測定することができる。線量測定方法は、支持部材に取り付けられたそれら受動型線量計によって汚染区域の水平方向の放射線の線量を同時に測定することができ、それら受動型線量計における測定時間にずれが生じることはなく、汚染区域の水平方向の正確な線量分布を測定することができる。
【００３８】
前後方向へ伸長させた状態の複数の線量測定具を汚染区域において横方向へ所定寸法離間させて並べ、それら受動型線量計を前後方向と横方向とへ分散させた状態でそれら線量測定具を汚染区域に所定時間放置し、それら受動型線量計によって汚染区域の水平方向の放射線の線量分布を測定する線量測定方法は、それら線量測定具を前後方向へ伸長させた状態でそれら線量測定具を横方向へ所定寸法離間させて並べ、線量測定具を汚染区域に所定時間放置することで、各受動型線量計が汚染区域において前後方向および横方向へ所定間隔で分散（分布）しつつ、それら受動型線量計によって汚染区域の水平方向の放射線の線量が測定されるから、汚染区域の水平方向の線量を労力をかけずに短時間で広範囲に測定することができ、汚染区域の水平方向の平面的な放射線の線量分布を効率的に測定することができる。
【００３９】
支持部材が前後方向へ延びていて横方向へ所定寸法離間して並ぶ複数の第１支持部材と横方向へ延びていて前後方向へ所定寸法離間して並ぶ複数の第２支持部材とから形成され、第１および第２支持部材の交差箇所が連結されて第１および第２支持部材が二次元に広がる平面的なネットを形成し、第１支持部材を前後方向へ伸長し、第２支持部材を横方向へ伸長し、それら受動型線量計を前後方向と横方向とへ分散させた状態でネットを汚染区域に所定時間放置し、それら受動型線量計によって汚染区域の水平方向の放射線の線量分布を測定する線量測定方法は、前後方向と横方向とへ広げた状態のネットを汚染区域に所定時間放置することで、各受動型線量計が汚染区域において前後方向および横方向へ所定間隔で分散（分布）しつつ、それら受動型線量計によって汚染区域の水平方向の放射線の線量が測定されるから、汚染区域の水平方向の線量を労力をかけずに短時間で広範囲に測定することができ、汚染区域の水平方向の平面的な放射線の線量分布を効率的に測定することができる。
【００４０】
線量測定具を汚染区域において上下方向へ伸長し、それら受動型線量計を上下方向へ分散（分布）させた状態で線量測定具を汚染区域に所定時間放置し、それら受動型線量計によって汚染区域の垂直方向の放射線の線量分布を測定する線量測定方法は、線量測定具を上下方向へ伸長させた状態で、線量測定具を汚染区域に所定時間放置することで、各受動型線量計が汚染区域において上下方向へ所定間隔で分散（分布）しつつ、それら受動型線量計によって汚染区域の垂直方向の放射線の線量が測定されるから、汚染区域の垂直方向の線量を労力をかけずに短時間で広範囲に測定することができ、汚染区域の垂直方向の放射線の線量分布を効率的に測定することができる。線量測定方法は、支持部材に取り付けられたそれら受動型線量計によって汚染区域の垂直方向の放射線の線量を同時に測定することができ、それら受動型線量計における測定時間にずれが生じることはなく、汚染区域の垂直方向の正確な線量分布を測定することができる。
【００４１】
上下方向へ伸長させた状態の複数の線量測定具を汚染区域において横方向と前後方向との少なくとも一方へ所定寸法離間させて並べ、それら受動型線量計を上下方向と横方向と前後方向とへ分散（分布）させた状態でそれら線量測定具を汚染区域に所定時間放置し、それら受動型線量計によって汚染区域の垂直方向の放射線の線量分布を測定する線量測定方法は、それら線量測定具を上下方向へ伸長させた状態でそれら線量測定具を横方向と前後方向との少なくとも一方へ所定寸法離間させて並べ、線量測定具を汚染区域に所定時間放置することで、各受動型線量計が汚染区域において上下方向と横方向と前後方向とへ所定間隔で分散（分布）しつつ、それら受動型線量計によって汚染区域の垂直方向の放射線の線量が測定されるから、汚染区域の垂直方向の線量を労力をかけずに短時間で広範囲に測定することができ、汚染区域の垂直方向の平面的または立体的な放射線の線量分布を効率的に測定することができる。
【００４２】
所定の吊り下げ手段を利用して線量測定具を汚染区域において上方から下方へ向かって吊り下げる線量測定方法は、吊り下げ手段を介して線量測定具を上下方向へ吊り下げた状態で汚染区域に所定時間放置することで、受動型線量計が汚染区域において上下方向へ所定間隔で分散（分布）し、または、受動型線量計が汚染区域において上下方向と横方向と前後方向とへ所定間隔で分散（分布）し、受動型線量計によって汚染区域の垂直方向の放射線の線量が測定されるから、吊り下げ手段を利用することで汚染区域の垂直方向の線量を労力をかけずに短時間で広範囲に測定することができ、汚染区域の垂直方向の放射線の線量分布を効率的に測定することができる。
【００４３】
吊り下げ手段が長尺の支持ロッドであり、線量測定具の一端部が支持ロッドの先端部に連結されている線量測定方法は、長尺の支持ロッドを介して線量測定具を上下方向へ吊り下げた状態で汚染区域に所定時間放置することで、受動型線量計が汚染区域において上下方向へ所定間隔で分散（分布）し、または、受動型線量計が汚染区域において上下方向と横方向と前後方向とへ所定間隔で分散（分布）し、受動型線量計によって汚染区域の垂直方向の放射線の線量が測定されるから、長尺の竿を利用することで汚染区域の垂直方向の線量を労力をかけずに短時間で広範囲に測定することができ、汚染区域の垂直方向の放射線の線量分布を効率的に測定することができる。
【００４４】
吊り下げ手段が汚染区域の上空でホバリングするドローンであり、線量測定具の一端部がドローンに連結されている線量測定方法は、汚染区域の上空でドローンをホバリングさせ、ドローンを利用して線量測定具を上下方向へ吊り下げた状態で汚染区域に所定時間放置することで、受動型線量計が汚染区域において上下方向へ所定間隔で分散（分布）し、受動型線量計によって汚染区域の垂直方向の放射線の線量が測定されるから、ドローンを利用することで汚染区域の垂直方向の線量を労力をかけずに短時間で広範囲に測定することができ、汚染区域の垂直方向の放射線の線量分布を効率的に測定することができる。放射線測定方法は、測定者が立ち入ることができない危険箇所や高い線量の箇所にドローンを飛ばし、ドローンを利用してそれら箇所の垂直方向の線量を測定することができ、測定者の安全を確保しつつ、危険箇所や高い線量の箇所の垂直方向の放射線の線量分布を測定することができる。
【００４５】
ドローンが線量測定具を上下方向へ繰り出し可能に巻き取ったリールと汚染区域の上空でリールを回転させる回転機構とを備えている線量測定方法は、汚染区域の上空でホバリングするドローンに設置されたリールから線量測定具を上下方向へ繰り出すことで、汚染区域の任意の高さから線量測定具を上下方向へ吊り下げることができ、ドローンを利用することで汚染区域の垂直方向の線量を労力をかけずに短時間で広範囲に測定することができる。放射線測定方法は、測定が終了した後、線量測定具をリールに巻き取り、ドローンを所定の位置に着陸させることができ、線量測定具が邪魔をすることなく、ドローンとともに線量測定具を安全に回収することができる。
【００４６】
支持部材が上下方向へ延びていて横方向へ所定寸法離間して並ぶ複数の第１支持部材と横方向へ延びていて上下方向へ所定寸法離間して並ぶ複数の第２支持部材とから形成され、第１および第２支持部材の交差箇所が連結されて第１および第２支持部材が二次元に広がる平面的な第１ネットを形成し、第１支持部材を上下方向へ伸長し、第２支持部材を横方向へ伸長し、それら受動型線量計を上下方向と横方向とへ分散させた状態で第１ネットを汚染区域に所定時間放置し、それら受動型線量計によって汚染区域の垂直方向の放射線の線量分布を測定する線量測定方法は、上下方向と横方向とへ広げた状態の第１ネットを汚染区域に所定時間放置することで、各受動型線量計が汚染区域において上下方向および横方向へ所定間隔で分散（分布）しつつ、それら受動型線量計によって汚染区域の垂直方向の放射線の線量が測定されるから、汚染区域の垂直方向の線量を労力をかけずに短時間で広範囲に測定することができ、汚染区域の垂直方向の平面的な放射線の線量分布を効率的に測定することができる。
【００４７】
支持部材が上下方向へ延びていて横方向および前後方向へ所定寸法離間して並ぶ複数の第１支持部材と横方向へ延びていて前後方向へ所定寸法離間して並ぶ複数の第２支持部材と前後方向へ延びていて上下方向および横方向へ所定寸法離間して並ぶ複数の第３支持部材とから形成され、第１〜第３支持部材の交差箇所が連結されて第１〜第３長尺線材が三次元に広がる立体的な第２ネットを形成し、第１支持部材を上下方向へ伸長し、第２支持部材を横方向へ伸長するとともに、第３支持部材を前後方向へ伸長し、それら受動型線量計を上下方向と前後方向と横方向とへ分散させた状態で第２ネットを前記汚染区域に所定時間放置し、それら受動型線量計によって汚染区域の垂直方向の放射線の線量分布を測定する線量測定方法は、上下方向と横方向と前後方向とへ広げた状態の第２ネットを汚染区域に所定時間放置することで、各受動型線量計が汚染区域において上下方向と横方向と前後方向とへ所定間隔で分散（分布）しつつ、それら受動型線量計によって汚染区域の水平方向および垂直方向の放射線の線量が測定されるから、汚染区域の水平方向および垂直方向の線量を労力をかけずに短時間で広範囲に測定することができ、汚染区域の水平方向および垂直方向の立体的な放射線の線量分布を効率的に測定することができる。
【００４８】
所定の吊り下げ手段を利用して第１ネットまたは第２ネットを汚染区域において上方から下方へ向かって吊り下げる線量測定方法は、吊り下げ手段を介して線量測定具を上下方向へ吊り下げた状態で汚染区域に所定時間放置することで、受動型線量計が汚染区域において上下方向と横方向とへ所定間隔で分散（分布）し、または、受動型線量計が汚染区域において上下方向と横方向と前後方向とへ所定間隔で分散（分布）し、受動型線量計によって汚染区域の垂直方向の放射線の線量が測定されるから、吊り下げ手段を利用することで汚染区域の垂直方向の線量を労力をかけずに短時間で広範囲に測定することができ、汚染区域の垂直方向の平面的または立体的な放射線の線量分布を効率的に測定することができる。
【００４９】
支持部材が長さ方向へ直状に延びるフレキシブルな長尺線材であり、固定手段が互いに重なり合う熱可塑性合成樹脂シートをシールすることから作られて受動型線量計を水密に密封するとともに所定重量のおもりを収容する包装袋と長尺線材および包装袋を連結する連結線材とから形成されている線量測定方法は、長尺線材を前後方向や上下方向へ伸長させた状態の線量測定具を汚染区域に所定時間放置することで、連結線材を介して長尺線材に連結された各受動型線量計が汚染区域において前後方向や上下方向へ分散し、包装袋に密封されたそれら受動型線量計によって汚染区域水平方向や垂直方向の線量が測定されるから、汚染区域の線量を労力をかけずに短時間で広範囲に測定することができ、汚染区域の平面的または立体的な放射線の線量分布を効率的に測定することができる。線量測定方法は、線量測定具を水中や雨中で使用する場合、熱可塑性合成樹脂シートどうしを水密にシールすることで包装袋が作られているから、包装袋への水分の進入を防ぐことができ、包装袋へ水分が進入することによる受動型線量計の測定不良や故障を防ぐことができ、水中や雨中において汚染区域の水平方向および垂直方向の線量を確実かつ正確に測定することができる。
【００５０】
包装袋が互いに重なり合う熱可塑性合成樹脂フィルムから作られ、受動型線量計を密封する第１収容部とおもりを収容する第２収容部とを有し、第１および第２収容部の周縁に延びるそれら熱可塑性合成樹脂フィルムどうしが水密にシールされ、連結線材が包装袋の第２収容部に収容されたおもりに連結されている線量測定方法は、包装袋の第２収容部に収容されたおもりによって、包装袋の第１収容部に密封された受動型線量計を大地に静止させることや水中に沈めることができ、大地や水中の水底等の汚染区域の平面的な線量を確実に測定することができる。線量測定方法は、包装袋の第２収容部に収容されたおもりによって、包装袋の第１収容部に密封された受動型線量計の空中における遊動を防ぐことができ、建造物、森林や山谷等の起伏地の汚染区域の垂直方向の線量を確実に測定することができる。線量測定方法は、線量測定具を水中や雨中で使用する場合、第２収容部の周縁が水密にシールされるから、第２収容部への水の進入を防ぐことができ、第２収容部へ水が進入することによる受動型線量計の測定不良や故障を防ぐことができ、水中や雨中において汚染区域の水平方向および垂直方向の平面的または立体的な線量を確実かつ正確に測定することができる。
【００５１】
長尺線材がその一端部と他端部とに取り付けられて長尺線材のそれら端部を地表に接地させ、または、長尺線材のそれら端部を水底に接地させる一対の接地手段を含む線量測定方法は、長尺線材の一端部と他端部とに取り付けられた接地手段によって、長尺線材のそれら端部を地表に不動に接地させることができるから、線量測定具を汚染区域の大地に放置したときの線量測定具の不用意な遊動を防ぐことができ、大地における平面的な線量を確実に測定することができる。線量測定方法は、長尺線材の一端部と他端部とに取り付けられた接地手段によって、長尺線材のそれら端部を水底に接地させ、線量測定具の受動型線量計を水底に沈めることができるから、線量測定具を汚染区域の水中に放置したときの線量測定具の不用意な遊動を防ぐことができ、水底における平面的な線量を確実に測定することができる。
【００５２】
長尺線材がその一端部と他端部とに取り付けられて水面に浮上する浮子を含む線量測定方法は、長尺線材の一端部と他端部とに連結された浮子が水面に浮上することで、浮子が水中に沈んだ線量測定具の位置を知る目印となり、線量の測定が終了した線量測定具を浮子を利用して水中から容易に引き上げることができる。
【００５３】
長尺線材がその一端部に取り付けられて長尺線材の重量を増加させる安定おもりを含む線量測定方法は、長尺線材の一端部に連結された安定おもりを下にした状態で長尺線材を上下方向へ吊したときに、安定おもりによって長尺線材の空中における遊動を防ぐことができ、各受動型線量計によって建造物、森林や山谷等の起伏地の汚染区域の垂直方向の線量を確実に測定することができる。
【００５４】
支持部材が長さ方向へ直状に延びる熱可塑性合成樹脂製のフレキシブルな長尺シート材であり、固定手段が受動型線量計に隣接する長尺シート材をシールして作られて長さ方向へ所定間隔離間して並ぶ複数の密封スペースであり、それら刺激ルミネセンス線量計がそれら密封スペースに水密かつ個別に密封されている線量測定方法は、長尺シート材を前後方向や上下方向へ伸長させた状態の線量測定具を汚染区域に所定時間放置することで、長尺シート材の密封スペースに密封された各受動型線量計が汚染区域において前後方向や上下方向へ分散し、それら受動型線量計によって汚染区域水平方向や垂直方向の線量が測定されるから、汚染区域の線量を労力をかけずに短時間で広範囲に測定することができ、汚染区域の平面的または立体的な放射線の線量分布を効率的に測定することができる。線量測定方法は、線量測定具を水中や雨中で使用する場合、熱可塑性合成樹脂シートどうしをシールすることで密封スペースが作られているから、密封スペースへの水分の進入を防ぐことができ、密封スペースへ水分が進入することによる受動型線量計の測定不良や故障を防ぐことができ、水中や雨中において汚染区域の水平方向および垂直方向の平面的または立体的な線量を確実かつ正確に測定することができる。
【００５５】
長尺シート材が密封スペースに個別に密封された所定重量のおもりを含む線量測定方法は、密封スペースに個別に密封されたおもりによって、密封スペースに密封された受動型線量計を汚染区域に静止させることができ、または、密封スペースに密封された受動型線量計の空中における遊動を防ぐことができるから、汚染区域の垂直方向の平面的または立体的な線量を確実に測定することができる。
【００５６】
長尺シート材がその一端部と他端部とに取り付けられて長尺シート材のそれら端部を地表に接地させ、または、長尺シート材のそれら端部を水底に接地させる一対の接地手段を含む線量測定方法は、長尺シート材の一端部と他端部とに取り付けられた接地手段によって、長尺シート材のそれら端部を地表に不動に接地させることができるから、線量測定具を汚染区域の大地に放置したときの線量測定具の不用意な遊動を防ぐことができ、大地における水平方向の線量を確実に測定することができる。線量測定方法は、長尺シート材の一端部と他端部とに取り付けられた接地手段によって、長尺シート材のそれら端部を水底に接地させ、線量測定具の受動型線量計を水底に沈めることができるから、線量測定具を汚染区域の水中に放置したときの線量測定具の不用意な遊動を防ぐことができ、水底における水平方向の線量を確実に測定することができる。
【００５７】
長尺シート材がその一端部と他端部とに取り付けられて水面に浮上する浮子を含む線量測定方法は、長尺シート材の一端部と他端部とに取り付けられた浮子が水面に浮上することで、浮子が水中に沈んだ線量測定具の位置を知る目印となり、線量の測定が終了した線量測定具を浮子を利用して水中から容易に引き上げることができる。
【００５８】
長尺シート材がその一端部に取り付けられて長尺シート材の重量を増加させる安定おもりを含む線量測定方法は、長尺シート材の一端部に連結された安定おもりを下にした状態で長尺シート材を上下方向へ吊したときに、安定おもりによって長尺シート材の空中における遊動を防ぐことができ、線量測定具を利用して建造物、森林や山谷等の起伏地の汚染区域の垂直方向の線量を確実に測定することができる。
【００５９】
線量測定具が地中に突き刺す長さ方向へ長い長尺の突き刺しロッドを含み、長尺シート材を突き刺しロッドの軸方向へ直状に伸長させた状態で長尺シート材が突き刺しロッドに固定され、突き刺しロッドを汚染区域の地中に突き刺した状態で線量測定具を地中に所定時間放置し、それら受動型線量計によって地中の放射線の線量分布を測定する線量測定方法は、突き刺しロッドを地中に突き刺すことで、長尺シート材とともに長尺シート材の密封スペースに密封された各刺激ルミネセンス線量計が地中に進入し、突き刺しロッドを汚染区域の地中に所定時間放置することで、各刺激ルミネセンス線量計が地中において所定間隔で分散（分布）しつつ、それら刺激ルミネセンス線量計によって地中の放射線の線量が測定されるから、汚染区域の地中の線量を労力をかけずに短時間で測定することができ、汚染区域の地中の深さ方向の放射線の線量分布を効率的に測定することができる。線量測定方法は、突き刺しロッドに固定されたそれら受動型線量計によって地中の放射線の線量を同時に測定することができ、それら受動型線量計における測定時間にずれが生じることはなく、地中の正確な線量分布を測定することができる。
【００６０】
突き刺しロッドを地中へ突き刺したときの地中への突き刺し長さを示す目盛りが突き刺しロッドに表示され、目盛りを視認しつつ、突き刺しロッドの地中への突き刺し長さを調節する線量測定方法は、目盛りによって突き刺しロッドを地中へ突き刺したときの地中への突き刺し長さが分かり、地中への測定深さを知ることができ、それら受動型線量計が位置する地中の深さを知ることができるとともに、受動型線量計の地中における位置を特定することができる。
【００６１】
突き刺しロッドの上端部から軸方向へ延びる伸縮可能な伸縮棒が突き刺しロッドに着脱可能に取り付けられ、伸縮棒を利用して深奥に存在する地中に突き刺しロッドを突き刺す線量測定方法は、降りることができない深奥に位置する地表から地中に突き刺しロッドを突き刺す場合や水深が深い深奥の水中の水底の地中に突き刺しロッドを突き刺す場合、伸縮棒を利用することで地表に降りることなく突き刺しロッドを地表から地中に突き刺すことができ、水中に潜ることなく突き刺しロッドを水底から地中に突き刺すことができ、地中の放射線の線量分布を容易に測定することができる。
【００６２】
突き刺しロッドの上端部から軸方向へ延びる長尺の紐が突き刺しロッドに取り付けられ、水面に浮上する浮子が紐の上端部に連結され、伸縮棒を利用して突き刺しロッドを水底の地中に突き刺した後、紐に連結された浮子を水面に浮上させた状態で線量測定具を地中に所定時間放置し、それら受動型線量計によって地中の放射線の線量分布を測定する線量測定方法は、水深が深い深奥の水中の水底の地中に突き刺しロッドを突き刺した後、紐の先端部に連結された浮子が水面に浮上することで、浮子が水中に沈んだ線量測定具の位置を知る目印となり、浮子によって線量測定具の位置を知ることができ、線量の測定が終了した線量測定具を紐を利用して水中から容易に引き上げることができる。
【００６３】
受動型線量計が光刺激ルミネセンス線量計、熱ルミネッセンス線量計、蛍光ガラス線量計のうちのいずれかである線量測定方法は、光刺激ルミネセンス線量計や熱ルミネッセンス線量計、蛍光ガラス線量計を取り付けた線量測定具を汚染区域に所定時間放置することで、光刺激ルミネセンス線量計や熱ルミネッセンス線量計、蛍光ガラス線量計が汚染区域において所定間隔で分散（分布）しつつ、光刺激ルミネセンス線量計や熱ルミネッセンス線量計、蛍光ガラス線量計によって汚染区域の放射線の線量が広範囲に測定されるから、汚染区域の広い範囲の線量を労力をかけずに短時間で測定することができ、汚染区域の放射線の線量分布を効率的に測定することができる。
【図面の簡単な説明】
【００６４】
【図１】一例として示す線量測定方法の上面図。
【図２】図１に示す線量測定方法の側面図。
【図３】線量測定方法に使用する線量測定具の一例を示す正面図。
【図４】一例として示す光刺激ルミネセンス線量計の斜視図。
【図５】図３の線量測定具のうちの包装袋に収容された光刺激ルミネセンス線量計、おもり、連結線材を示す拡大図。
【図６】図５のＡ−Ａ線端面図。
【図７】線量測定具を巻き取ったリールの正面図。
【図８】図３の線量測定具を使用した放射線の線量測定方法の他の一例を示す上面図。
【図９】図８に示す線量測定方法の側面図。
【図１０】図３の線量測定具を使用した放射線の線量測定方法の他の一例を示す正面図。
【図１１】図１０に示す線量測定方法の正面図。
【図１２】図３の線量測定具を使用した放射線の線量測定方法の他の一例を示す側面図。
【図１３】図３の線量測定具を使用した放射線の線量測定方法の他の一例を示す側面図。
【図１４】他の一例として示す線量測定具の正面図。
【図１５】図１４の線量測定具のうちの包装袋に収容された光刺激ルミネセンス線量計、おもり、連結線材を示す拡大図。
【図１６】図１５のＢ−Ｂ線端面図。
【図１７】他の一例として示す線量測定具の正面図。
【図１８】他の一例として示す線量測定具の斜視図。
【図１９】他の一例として示す線量測定具の正面図。
【図２０】密封スペースに収容された光刺激ルミネセンス線量計を示す拡大図。
【図２１】図２０のＣ−Ｃ線端面図。
【図２２】図１９の線量測定具を使用した放射線の線量測定方法の一例を示す上面図。
【図２３】図１９の線量測定具を使用した放射線の線量測定方法の他の一例を示す正面図。
【図２４】図１９の線量測定具を使用した放射線の線量測定方法の他の一例を示す側面図。
【図２５】図１９の線量測定具を使用した放射線の線量測定方法の他の一例を示す側面図。
【図２６】他の一例として示す線量測定具の正面図。
【図２７】密封スペースに収容された光刺激ルミネセンス線量計、おもりを示す拡大図。
【図２８】図２７のＤ−Ｄ線端面図。
【図２９】図２６の線量測定具を使用した放射線の線量測定方法の他の一例を示す上面図。
【図３０】他の一例として示す線量測定具の正面図。
【図３１】他の一例として示す線量測定具の斜視図。
【図３２】他の一例として示す線量測定具の斜視図。
【図３３】図３２の線量測定具を使用した放射線の線量測定方法の他の一例を示す斜視図。
【図３４】他の一例として示す線量測定具の斜視図。
【図３５】図３４の線量測定具を使用した放射線の線量測定方法の他の一例を示す斜視図。
【図３６】図３５から続く放射線の線量測定方法の斜視図。
【発明を実施するための形態】
【００６５】
一例として示す線量測定方法の上面図である図１等の添付の図面を参照し、本発明に係る線量測定方法の詳細を説明すると、以下のとおりである。なお、図２は、図１に示す線量測定方法の側面図であり、図３は、線量測定方法に使用する線量測定具１０Ａの一例を示す正面図である。図４は、一例として示す光刺激ルミネセンス線量計１２の斜視図であり、図５は、図３の線量測定具１０Ａのうちの包装袋１４に収容された光刺激ルミネセンス線量計１２、おもり１３、連結線材１４を示す拡大図である。図６は、図５のＡ−Ａ線端面図であり、図７は、線量測定具１０Ａを巻き取ったリール１６の正面図である。
【００６６】
図１，２は、放射線に被ばくした汚染区域の大地３２（平原やグラウンド等）の地表３３の水平方向の線量（線量分布）を測定する場合を示す。以下の線量測定方法の説明では、受動型線量計（パッシブ型線量計）として光刺激ルミネセンス線量計１２を例示しているが、光刺激ルミネセンス線量計１２の他に、受動型線量計として熱ルミネッセンス線量計（ＴＬＤ）（図示せず）または蛍光ガラス線量計（図示せず）を使用することができる。
【００６７】
線量測定方法に使用する線量測定具１０Ａは、長さ方向へ直状に延びるフレキシブルな１本の長尺線材１１（長尺の支持部材）と、複数個の光刺激ルミネセンス線量計１２と、複数個のおもり１３と、光刺激ルミネセンス線量計１２およびおもり１３を収容する複数の包装袋１４（固定手段）と、長尺線材１１および包装袋１４を連結する複数本の連結線材１５（固定手段）とから形成されている。
【００６８】
長尺線材１１には、細長いワイヤーが使用されているが、ワイヤーのみならず、細長い紐を使用することもできる。ワイヤーの素材について特に制限はなく、金属製のワイヤーや合成樹脂製のワイヤー等の既存の全ての種類のワイヤーを利用することができる。また、紐の素材についても特に制限はなく、既存の全ての種類の紐を利用することができる。長尺線材１１の一方向の長さ寸法について、特に制限はなく、測定する汚染区域の面積や高さに応じて長尺線材１１の長さ寸法（たとえば、３〜３００ｍの範囲）を自由に選択することができる。線量測定具１０Ａ（長尺線材１１、光刺激ルミネセンス線量計１２、おもり１３、包装袋１４、連結線材１５）は、リール１６に繰り出し可能に巻き取られている（図７参照）。
【００６９】
それら光刺激ルミネセンス線量計１２は、図４に示すように、平たい板状に成型され、その平面形状が矩形に成型されている。なお、その形状に特に制限はなく、他の形状の線量計１２を使用することもできる。光刺激ルミネセンス線量計１２は、その縦寸法が５〜１０ｍｍの範囲、その横寸法が５〜１０ｍｍの範囲、その厚み寸法が１〜４ｍｍの範囲にあり、所定面積の表面１７と裏面１８とを有する。光刺激ルミネセンス線量計１２の表面１７には、線量計１２を特定する番号（図４ではＮＯ１）を表示したシール１９が貼付されている。なお、番号は、連番で線量計１２毎に付与される。
【００７０】
光刺激ルミネセンス線量計１２は、所定の物質（たとえば、酸化アルミニウム）に放射線を照射した後、５３０ｎｍ以上の波長の長い光を照射すると発光する輝尽発光を利用している。光刺激ルミネセンス線量計１２は、それを形成する物質に放射線を照射した後、その物質に光を照射することによってＦセンターの電子が開放され、発光中心と再結合して発光現象が生じる。その発光量は、被ばくした放射線の線量と比例関係があることから、線量測定が可能となる。線量の読み取りによってＦセンターは徐々に減少するが、刺激光の光量を制御することによって同一物質の複数回の繰り返し測定が可能である。
【００７１】
この現象を利用した光刺激ルミネセンス線量計１２の前記物質には、炭素添加α酸化アルミニウム（α−Al2O3:C）が利用される。光刺激ルミネセンス線量計１２としては、炭素添加α酸化アルミニウムの粉体をプラスチックシートに塗布したものが使用されている。炭素添加α酸化アルミニウムは、放射線以外の刺激による発光現象がなく、線量測定に適した物質であり、放射線の照射によって青色（４２０ｎｍ）の発光現象が観測される。
【００７２】
また、炭素添加α酸化アルミニウムは、可視光による強いフェーディング特性を有するため、輝度の大きな可視光源を利用することによって容易に線量計の初期化（アニーリング）をすることができる。炭素添加α酸化アルミニウムは、光子に対してエネルギー特性の小さな物質であるが、線量計として使用する際、エネルギー補償用の金属フィルター（錫や銅等）を用い、エネルギー特性の改善をしている。光刺激ルミネセンス線量計１２は、０．０１mSv（Ｘ線、γ線）の低線量から１０MeV（Ｘ線、γ線）の高線量までの測定が可能である。
【００７３】
なお、熱ルミネセンス線量計は、検知器の内部の結晶が加熱されたときに、熱ルミネッセンス反応によって結晶から放射される可視光の量を測定することにより、放射線の線量を測定する。結晶には、フッ化カリウムやフッ化リチウム、メタホウ酸リチウム等が使用される。熱ルミネセンス線量計では、放射線が結晶と相互作用したとき、結晶の原子にある電子がより高いエネルギー準位に飛び出し、結晶中の不純物（多くはマンガン）のためにトラップされ、加熱されるまで結晶に留まる。 結晶を加熱することによってその電子が基底準位まで落ちるが、そのときに特定の周波数の光子を放出する。放射される光の光量は被ばくした放射線の線量に依存するため、光度を測定することによって被ばくした線量を知ることができる。
【００７４】
蛍光ガラス線量計は、放射線が放射されたガラスが紫外線励起によってオレンジ色の蛍光を発する現象（ラジオホトルミネセンス：ＲＰＬ）を利用した線量計である。銀活性リン酸塩ガラスに電離放射線を照射し、その後に紫外線で励起すると、オレンジ色の蛍光を発する。蛍光量が放射線の線量に比例するため、蛍光量を測定することによって被ばくした線量を知ることができる。
【００７５】
おもり１３は、鉛から作られ、その重量が１０〜１００ｇの範囲にあり、包装袋１４の重量を増加させ、包装袋１４の不用意な遊動を防止する。おもり１３は、その平面形状が矩形に成形されている。おもり１３の一端部にはフック２０が取り付けられ、そのフック２０にサルカン２１の一端部が係入し、おもり１３がサルカン２０に連結されている。なお、おもり１３の形状に特に制限はなく、あらゆる形状のおもり１３を使用することができる。
【００７６】
それら包装袋１４は、互いに重なり合う熱可塑性合成樹脂シート２２（フィルム）から作られ、所定面積の表裏面２３，２４を有し、その大きさが光刺激ルミネセンス線量計１２やおもり１３のそれよりも大きい。包装袋１４は、図５に示すように、その平面形状が矩形に成形され、光刺激ルミネセンス線量計１２を収容した第１収容部２５と、おもり１３およびサルカン２１を収容した第２収容部２６とを有する。なお、包装袋１４の形状に特に制限はなく、他の形状の包装袋１４を使用することもできる。
【００７７】
包装袋１４では、その第１および第２収容部２５，２６の両端縁部２７（周縁）と両側縁部２８（周縁）とに延びる熱可塑性合成樹脂シート２２が水密にシール（溶着）されている。１つの包装袋１４には、１個の光刺激ルミネセンス線量計１２が第１収容部２５に水密に密封され、１個のおもり１３が第２収容部２６に収容されている。包装袋１４の第１収容部２５では、水分の進入が阻止されている。包装袋１４の表面２３では、２枚の熱可塑性合成樹脂シート２２が重なり合い、それらシート２２に光刺激ルミネセンス線量計１２の表面１７が対向している。包装袋１４の裏面２４では、２枚の熱可塑性合成樹脂シート２２が重なり合い、それらシート２２に光刺激ルミネセンス線量計１２の裏面１８が対向している。なお、３枚以上に重なる熱可塑性合成樹脂シート２２が包装袋１４の表裏面２３，２４を形成していてもよい。
【００７８】
熱可塑性合成樹脂シート２２（フィルム）には、ポリプロピレンシート（フィルム）やポリエチレンシート（フィルム）、ビニロンシート（フィルム）、再生セルロースシート（フィルム）等の既存の全ての熱可塑性合成樹脂シートを使用することができる。熱可塑性合成樹脂シート２２のシールには、ヒートシール機を利用したヒートシール、超音波シール機を利用した超音波シールがある。なお、ラミネートフィルムによるラミネート加工によって包装袋１４が作られていてもよい。
【００７９】
それら連結線材１５としては、長尺線材１１が金属製のワイヤーである場合、同一の金属から作られた線材１５が使用され、長尺線材１１が合成樹脂製のワイヤーである場合、同一の合成樹脂から作られた線材１５が使用されることが好ましい。なお、長尺線材１１と異なる素材の連結線材１５を使用することもできる。１本の連結線材１５が長尺線材１１と１つの包装袋１４との間に延び、その連結線材１５によって長尺線材１１と１つの包装袋１４とが連結（接続）されている。
【００８０】
長尺線材１１が金属製のワイヤーであり、連結線材１５がワイヤーと同一の金属から作られている場合（たとえば、針金）、連結線材１５の一端部がワイヤーの周縁に溶接によって固定され、または、連結線材１５の一端部がワイヤーの周縁にホットメルト接着剤によって固着され、あるいは、連結線材１５の一端部がワイヤーの周縁に強固に結び付けられることでワイヤー（長尺線材１１）に固定される。連結線材１５の他端部が包装袋１４の第２収容部２６に進入し、連結線材１５の他端部がサルカン２１の他端部に溶接によって固定され、または、連結線材１５の他端部がサルカン２１の他端部に強固に結び付けられることでサルカン２１に固定される。
【００８１】
長尺線材１１が金属製のワイヤーまたは合成樹脂製のワイヤーであり、連結線材１５が合成樹脂から作られている場合、連結線材１５の一端部がワイヤーの周縁に熱溶着によって固定され、または、連結線材１５の一端部がワイヤーの周縁にホットメルト接着剤や他の接着剤によって固着され、あるいは、連結線材１５の一端部がワイヤーの周縁に強固に結び付けられることでワイヤー（長尺線材１１）に固定される。連結線材１５の他端部が包装袋１４の第２収容部２６に進入し、連結線材１５の他端部がサルカン２１の他端部にホットメルト接着剤や他の接着剤、熱溶着によって固定され、または、連結線材１５の他端部がサルカン２１の他端部に強固に結付けられることでサルカン２１に固定される。
【００８２】
線量測定具１０Ａでは、それら連結線材１５が長尺線材１１の長さ方向へ所定間隔離間（等間隔離間）して取り付けられている。したがって、包装袋１４に密封されたそれら光刺激ルミネセンス線量計１２が長尺線材１１の長さ方向へ所定間隔離間（等間隔離間）して並んでいる。なお、長さ方向へ隣接する光刺激ルミネセンス線量計１２どうしの長さ方向への離間寸法Ｌ１に特に制限はなく、線量を測定する汚染箇所の面積や高さによって離間寸法Ｌ１（たとえば、１０〜３００ｃｍの範囲）を任意に設定することができる。
【００８３】
図１，２に示す線量測定方法では、長尺線材１１の一端部２９と他端部３０とに接地おもり３１（接地手段）が連結されている。接地おもり３１は、長尺線材１１のそれら端部２９，３０を汚染区域の大地３２の地表３３に接地させる。なお、接地手段として、接地おもり３１の他に、長尺線材１１のそれら端部２９，３０に取り付けられて地表３３に突き刺すピンや地表に螺着する螺子棒であってもよい。
【００８４】
線量測定具１０Ａ（長尺線材１１）を巻き取ったリール１６を汚染区域（測定区域）の大地３２に運び、リール１６から線量測定具１０Ａ（長尺線材１１）を繰り出し、長尺線材１１を所定の長さに切断して複数の線量測定具１０Ａに分割する。次に、それら線量測定具１０Ａの長尺線材１１の一端部２９と他端部３０とに接地おもり３１を取り付け、長尺線材１１を前後方向（長さ方向）へ伸長させた状態（延ばした状態）でそれら線量測定具１０Ａを大地３２の地表３３に載置し、図１に示すように、それら線量測定具１０Ａを地表３３において前後方向と交差する横方向へ並べる。
【００８５】
線量測定具１０Ａを大地３２の地表３３に載置すると、線量測定具１０Ａが地表３３の凹凸に沿って起伏するとともに、複数の光刺激ルミネセンス線量計１２が地表３３において前後方向と横方向とへ略等間隔で分散（分布）する。なお、各光刺激ルミネセンス線量計１２の表面１７には番号（連番）を記載したシール１９が貼付されており、光刺激ルミネセンス線量計１２が番号によって特定されるとともに、光刺激ルミネセンス線量計１２の地表３３に載置された測定箇所（測定場所）がその番号とともに記録される。
【００８６】
それら線量測定具１０Ａでは、包装袋１４の表面２３または裏面２４が地表３３に接地し、光刺激ルミネセンス線量計１２の表面１７または裏面１８が包装袋１４を介して地表３３に接地する。放射線に被ばくした地表３３から光刺激ルミネセンス線量計１２の表面１７または裏面１８に向かって放射線が照射される。それら線量測定具１０Ａでは、接地おもり３１によって大地３２における長尺線材１１の不用意な遊動を防ぐことができるとともに、包装袋１４の第２収容部２６に収容されたおもり１３によって光刺激ルミネセンス線量計１２を大地３２の地表３３に静止させることができ、大地３２における水平方向の線量を確実に測定することができる。
【００８７】
それら線量測定具１０Ａを大地３２の地表３３に所定時間放置した後（測定時間が経過した後）、各線量測定具１０Ａを回収する。線量測定具１０Ａの放置時間は、汚染区域の地表３３の線量によって異なり、線量が高い区域に対する放置時間は短く、数時間程度であり、線量が低い区域に対する放置時間は長く、数日程度である。回収された線量測定具１０Ａは、大地３２の各区域毎（各場所毎）に仕分けられるとともに、包装袋１４から光刺激ルミネセンス線量計１２が取り出され、各光刺激ルミネセンス線量計１２がその番号順に線量読み取り装置（図示せず）に設置される。光刺激ルミネセンス線量計１２に照射された放射線の線量は、線量読み取り装置によって読み取られる。
【００８８】
なお、熱ルミネッセンス線量計を使用する場合は、熱ルミネッセンス線量計に照射された放射線の線量がＴＬＤ読み取り装置によって世も取られる。蛍光ガラス線量計を使用する場合は、蛍光ガラス線量計に照射された放射線の線量が紫外線パルスレーザーを利用したガラス線量計リーダーによって読み取られる。
【００８９】
線量読み取り装置は、刺激用の光源として超高輝度緑色LED、CW−GreenLaser、Nd:YAG Laser（５３２nm）等の緑色光が使用される。炭素添加α酸化アルミニウム（α−Al2O3:C）に刺激光を照射して得られた青色の発光を適切なband−passフィルターとband−cutフィルターとに通して刺激光と分離し、青色の発光量のみを光電子倍増管によって検出する。線量読み取り装置に付属するコンピュータにより、光電子倍増管によって検出した青色の発光量に対するデータ処理を行い、放射線の線量に変換する。
【００９０】
なお、図示はしていないが、コンピュータのディスプレイには、測定結果を示す測定画像が表示される。測定画像の一例としては、汚染区域（測定区域）の大地３２の地形を示す平面地形図（鳥瞰図）や大地３２の側面形状を示す側面形状図が表示され、その平面地形図や側面形状図に各測定箇所（光刺激ルミネセンス線量計１２の接地箇所）が表示されるとともに、各測定箇所における放射線の線量が数値や棒グラフ等で表示される。測定画像は、プリンタによって出力される。測定画像を見ることで、汚染区域（測定区域）の大地３２における放射線の水平方向の平面的な線量を広範囲に知ることができる。
【００９１】
線量測定具１０Ａを使用した図１，２に示す線量測定方法は、線量測定具１０Ａを形成する長尺線材１１を前後方向（長さ方向）へ伸長させた状態の複数のそれら線量測定具１０Ａを横方向へ所定間隔離間させて並べ、それら線量測定具１０Ａを汚染区域の大地３２の地表３３に所定時間放置することで、連結線材１５を介して長尺線材１１に連結された各光刺激ルミネセンス線量計１２が大地３２において前後方向と横方向とへ所定間隔で広範囲に分散（分布）し、包装袋１４に密封されたそれら光刺激ルミネセンス線量計１２によって大地３２の水平方向の線量が測定されるから、汚染区域における大地３２の線量を労力をかけずに短時間で広範囲に測定することができ、大地３２の水平方向の平面的な放射線の線量分布（汚染分布状況）を効率的に測定することができる。
【００９２】
線量測定具１０Ａを使用した図１，２に示す線量測定方法は、それら光刺激ルミネセンス線量計１２によって汚染区域における大地の３２広範囲かつ平面的な線量を同時に測定することができ、光刺激ルミネセンス線量計１２における測定時間にずれが生じることはなく、大地３２の正確な放射線の線量を測定することができる。
【００９３】
図８は、線量測定具１０Ａを使用した放射線の線量測定方法の他の一例を示す上面図であり、図９は、図８に示す線量測定方法の側面図である。図８，９は、汚染区域の水中３４（池や湖、河川等）の水底３５の水平方向の線量を測定する場合を示す。図８，９に示す線量測定方法では、長尺線材１１の一端部２９と他端部３０とに接地おもり３１（接地手段）が連結されているとともに、一端部２９と他端部３０とに浮子３６が連結されている。接地おもり３１は、長尺線材１１のそれら端部２９，３０を水底３５に接地させる。
【００９４】
線量測定具１０Ａ（長尺線材）を巻き取ったリール１６を汚染区域（測定区域）の池や湖、河川等に運び、リール１６から線量測定具１０Ａ（長尺線材１１）を繰り出し、長尺線材１１を所定の長さに切断して複数の線量測定具１０Ａに分割する。次に、それら線量測定具１０Ａの長尺線材１１の一端部２９と他端部３０とに接地おもり３１を取り付けるとともに、それら端部２９，３０に浮子３６を取り付ける。長尺線材１１を前後方向（長さ方向）へ伸長させた状態（延ばした状態）でそれら線量測定具１０Ａを水中３４に沈め、図８に示すように、それら線量測定具１０Ａを水中３４において前後方向と交差する横方向へ並べる。浮子３６は、水面に浮上する。
【００９５】
線量測定具１０Ａを水中３４に沈めると、線量測定具１０Ａが水底３５の凹凸に沿って起伏するとともに、複数の光刺激ルミネセンス線量計１２が水底３５において前後方向と横方向とへ略等間隔で分散（分布）する。なお、シール１９に記載された番号（連番）によって各光刺激ルミネセンス線量計１２が特定されるとともに、光刺激ルミネセンス線量計１２の水底３５における測定箇所（測定場所）がその番号とともに記録される。それら線量測定具１０Ａでは、包装袋１４の表面２３または裏面２４が水中３４の水底３５に接地し、光刺激ルミネセンス線量計１２の表面１７または裏面１８が包装袋１４を介して水底３５に接地する。放射線に被ばくした水底３５から光刺激ルミネセンス線量計１２の表面１７または裏面１８に向かって放射線が照射される。
【００９６】
それら線量測定具１０Ａでは、接地おもり３１によって水底３５における長尺線材１１の不用意な遊動を防ぐことができるとともに、包装袋１４の第２収容部２６に収容されたおもり１３によって光刺激ルミネセンス線量計１２を水底３５に静止させることができ、水底３５における水平方向の線量を確実に測定することができる。また、線量測定具１０Ａは、長尺線材１１の一端部２９と他端部３０とに連結された浮子３６が水面に浮上することで、浮子３６が水中３４に沈んだ線量測定具１０Ａの位置を知る目印となり、測定が終了した線量測定具１０Ａを浮子３６を利用して水中３４から容易に引き上げることができる。
【００９７】
それら線量測定具１０Ａを水中３４の水底３５に所定時間放置した後（測定時間が経過した後）、それら線量測定具１０Ａを水中３４から引き上げ、各線量測定具１０Ａを回収する。線量測定具１０Ａの放置時間は、汚染区域の水底３５の線量によって異なり、線量が高い区域に対する放置時間は短く、数時間程度であり、線量が低い区域に対する放置時間は長く、数日程度である。回収された線量測定具１０Ａは、水底３５の各区域毎（各場所毎）に仕分けられるとともに、包装袋１４から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【００９８】
線量読み取り装置に付属するコンピュータのディスプレイに表示された測定画像には、汚染区域（測定区域）の水底３５の地形を示す平面地形図（鳥瞰図）や水底３５の側面形状を示す側面形状図が表示され、その平面地形図や側面形状図に各測定箇所（光刺激ルミネセンス線量計１２の接地箇所）が表示されるとともに、各測定箇所における放射線の線量が数値や棒グラフ等で表示される。測定画像は、プリンタによって出力される。測定画像を見ることで、汚染区域（測定区域）の水中３４の水底３５における放射線の水平方向の平面的な線量を広範囲に知ることができる。
【００９９】
線量測定具１０Ａを使用した図８，９に示す線量測定方法は、線量測定具１０Ａを形成する長尺線材１１を前後方向（長さ方向）へ伸長させた状態の複数の線量測定具１０Ａを水中３４に沈め、それら線量測定具１０Ａを水底３５に所定間隔離間させて並べ、それら線量測定具１０Ａを汚染区域の水中３４の水底３５に所定時間放置することで、連結線材１５を介して長尺線材１１に連結された各光刺激ルミネセンス線量計１２が水底３５において前後方向と横方向とへ所定間隔で広範囲に分散（分布）し、包装袋１４に密封されたそれら光刺激ルミネセンス線量計１２によって水底３５の水平方向の線量が測定されるから、汚染区域における水底３５の線量を労力をかけずに短時間で広範囲に測定することができ、水底３５の水平方向の平面的な放射線の線量分布（汚染分布状況）を効率的に測定することができる。
【０１００】
線量測定具１０Ａを使用した図８，９に示す線量測定方法は、それら光刺激ルミネセンス線量計１２によって汚染区域における水中３４の水底３５の広範囲かつ平面的な線量を同時に測定することができ、光刺激ルミネセンス線量計１２における測定時間にずれが生じることはなく、水底３５の水平方向の正確な放射線の線量を測定することができる。
【０１０１】
図１０は、線量測定具１０Ａを使用した放射線の線量測定方法の他の一例を示す正面図であり、図１１は、図１０に示す線量測定方法の正面図である。図１０，１１は、汚染区域の建造物、森林や山谷等の起伏地（図示せず）の垂直方向の線量を測定する場合を示す。建造物には、汚染区域の建造物のみならず、事故前や事故後の原子力建屋も含まれる。図１０，１１に示す線量測定方法では、長尺線材１１の重量を増加させ、線量測定具１０Ａを空中において安定させる安定おもり３７が長尺線材１１の一端部に連結されている。線量測定具１０Ａは、リール１６に巻き取られ、リール１６とともにドローン３８（無人飛行体）に設置されている。
【０１０２】
リール１６は、ドローン３８に対して垂直に取り付けられ、モーター（回転機構）（図示せず）によって時計回り方向と反時計回り方向とへ回転する。リール１６では、安定おもり３７が取り付けられた長尺線材１１の一端部がリール１６から下方に延出している。リール１６が時計回り方向へ回転すると、長尺線材１１（線量測定具１０Ａ）がリール１６から繰り出され、リール１６が反時計回り方向へ回転すると、長尺線材１１（線量測定具１０Ａ）がリール１６に巻き取られる。
【０１０３】
ドローン３８は、それに設置されたローター３９の回転によって空中へ上昇し、空中において水平方向および垂直方向へ飛行するとともに、空中において静止（ホバリング）する。ドローン３８は、それを操縦するプロポ（プロポーショナルシステム）によって飛行がコントロールされる他、自動操縦によって飛行することもできる。なお、プロポによってリール１６を時計回り方向と反時計回り方向とへ回転させるようになっている。
【０１０４】
ドローン３８を汚染区域（測定区域）に運び、ドローン３８を起動（ローター３９を回転）させ、プロポによってドローン３８を上昇させてドローン３８を上空の測定箇所まで飛行させる。ドローン３８が上空の測定箇所に位置した後、その場でホバリングさせるとともに、リール１６を時計回り方向へ回転させ、長尺線材１１（線量測定具１０Ａ）をリール１６から繰り出す。長尺線材１１（線量測定具１０Ａ）は、リール１６から地表に向かって次第に繰り出される。
【０１０５】
長尺線材１１（線量測定具１０Ａ）がその設定長さ（設定繰り出し長さ）までリール１６から繰り出された後、ドローン３８を空中で所定時間ホバリングさせる。長尺線材１１（線量測定具１０Ａ）は、安定おもり３７が下になった状態でリール１６から下方へ吊り下げられる。光刺激ルミネセンス線量計１２は、空中において所定間隔（略等間隔）で上下方向へ分散（分布）する。なお、シール１９に記載された番号（連番）によって各光刺激ルミネセンス線量計１２が特定されるとともに、光刺激ルミネセンス線量計１２の空中における測定箇所（測定場所）がその番号とともに記録される。
【０１０６】
ドローン３８がホバリング中、線量測定具１０Ａが空中の所定の位置に静止し、放射線に被ばくした建造物から光刺激ルミネセンス線量計１２の表面１７または裏面１８に向かって放射線が照射される。長尺線材１１の一端部に連結された安定おもり３７を下にした状態で長尺線材１１をリール１６から下方へ吊り下げたときに、安定おもり３７によって長尺線材１１の空中における遊動を防ぐことができ、各光刺激ルミネセンス線量計１２によって建造物、森林や山谷等の起伏地の垂直方向の線量を確実に測定することができる。
【０１０７】
ドローン３８を空中において所定時間ホバリングさせた後（線量測定具１０Ａを空中に所定時間放置した後（測定時間が経過した後））、リール１６を反時計回り方向へ回転させ、長尺線材１１（線量測定具１０Ａ）をリール１６に巻き取る。次に、ドローン３８を所定の着陸位置に着陸させ、ドローン３８からリール１６を取り外すととともに、リール１６から線量測定具１０Ａを回収する。回収された線量測定具１０Ａは、各汚染区域の建造物毎、森林や山谷等の起伏地毎に仕分けられるとともに、包装袋１４から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１０８】
線量読み取り装置に付属するコンピュータのディスプレイに表示された測定画像には、汚染区域（測定区域）の建造物、森林や山谷等の起伏地の側面形状を示す側面形状図や建造物、森林や山谷等の起伏地の地形を示す平面地形図（鳥瞰図）が表示され、その側面形状図や平面地形図に各測定箇所（光刺激ルミネセンス線量計１２の静止箇所）が表示されるとともに、各測定箇所における放射線の線量が数値や棒グラフ等で表示される。測定画像は、プリンタによって出力される。測定画像を見ることで、汚染区域（測定区域）の建造物、森林や山谷等の起伏地における垂直方向の放射線の線量を知ることができる。
【０１０９】
線量測定具１０Ａを使用した図１０，１１に示す線量測定方法は、ドローン３８を利用して長尺線材１１（線量測定具１０Ａ）をリール１６から下方へ吊り下げ、各光刺激ルミネセンス線量計１２を空中において垂直方向へ並べ、それら光刺激ルミネセンス線量計１２を汚染区域の空中に所定時間放置することで、連結線材１５を介して長尺線材１１に連結された各光刺激ルミネセンス線量計１２が空中に所定間隔で上下方向へ分散（分布）し、包装袋１４に密封されたそれら光刺激ルミネセンス線量計１２によって建造物、森林や山谷等の起伏地の垂直方向の線量が測定されるから、汚染区域における建造物、森林や山谷等の起伏地の垂直方向の線量を労力をかけずに短時間で広範囲に測定することができ、建造物、森林や山谷等の起伏地の垂直方向の放射線の線量分布（汚染分布状況）を効率的に測定することができる。
【０１１０】
線量測定具１０Ａを使用した図１０，１１に示す線量測定方法は、それら光刺激ルミネセンス線量計１２によって汚染区域における建造物、森林や山谷等の起伏地の垂直方向の線量を同時に測定することができ、光刺激ルミネセンス線量計１２における測定時間にずれが生じることはなく、建造物、森林や山谷等の起伏地の垂直方向の正確な放射線の線量を測定することができる。
【０１１１】
図１２は、線量測定具１０Ａを使用した放射線の線量測定方法の他の一例を示す側面図である。図１２は、汚染区域の森林４０（山地）の垂直方向の線量を測定する場合を示す。図１２に示す線量測定方法では、長尺線材１１（線量測定具１０Ａ）が木製や金属製、合成樹脂（プラスチック）製の長尺の支持架台４１に取り付けられ、支持架台４１に上下方向へ伸長状態で支持されている。それら支持架台４１は、上下方向へ延びる細長い支持ロッド４２（棒材）と、支持ロッド４２の下端から水平方向へ延びる下端支持台４３と、支持ロッドの上端から水平方向へ延びる上端支持台４４とから形成されている。線量測定方法では、長尺線材１１の一端部２９が下端支持台４３に着脱可能に連結され、長尺線材１１の他端部３０が上端支持台４４に着脱可能に連結されている。
【０１１２】
線量測定具１０Ａ（長尺線材）を巻き取ったリール１６や支持架台４１を汚染区域（測定区域）の森林４１に運び、リール１６から線量測定具１０Ａ（長尺線材１１）を繰り出し、長尺線材１１を所定の長さに切断して複数の線量測定具１０Ａに分割する。次に、長尺線材１１の一端部２９を下端支持台４３に連結し、長尺線材１１の他端部３０を上端支持台４４に連結し、線量測定具１０Ａを下端支持台４３と上端支持台４４との間に伸長下に設置する。
【０１１３】
線量測定具１０Ａが上下方向へ延びるように、支持ロッド４２を起立させ、それら支持架台４１を横方向へ略等間隔離間させて森林４０に配置する。それら支持架台４１を配置すると、光刺激ルミネセンス線量計１２が空中において所定間隔（略等間隔）で上下方向と横方向とへ分散（分布）する。なお、シール１９に記載された番号（連番）によって各光刺激ルミネセンス線量計１２が特定されるとともに、光刺激ルミネセンス線量計１２の空中（森林４０）における測定箇所（測定場所）がその番号とともに記録される。
【０１１４】
それら線量測定具１０Ａが森林４０における空中の所定の位置に静止し、放射線に被ばくした森林４０の木々から光刺激ルミネセンス線量計１２の表面１７または裏面１８に向かって放射線が照射される。長尺線材１１の一端部２９が下端支持台４３に支持され、他端部３０が上端支持台４４に支持されているから、長尺線材１１の空中における遊動を防ぐことができ、各光刺激ルミネセンス線量計１２によって汚染区域のおける森林４０の垂直方向の線量を確実に測定することができる。
【０１１５】
それら支持架台４１を森林４０に所定時間放置した後（それら線量測定具１０Ａを森林４０に所定時間放置した後（測定時間が経過した後））、それら支持架台４１を回収するとともに、支持架台４１からそれら線量測定具１０Ａを取り外し、線量測定具１０Ａを回収する。回収された線量測定具１０Ａは、各汚染区域の森林４０毎に仕分けられるとともに、包装袋１４から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１１６】
線量読み取り装置に付属するコンピュータのディスプレイに表示された測定画像には、汚染区域（測定区域）の森林４０の上下方向の側面形状を示す側面形状図や森林４０の地形を示す平面地形図（鳥瞰図）が表示され、その側面形状図や平面地形図に森林４０における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、汚染区域（測定区域）の森林４０における垂直方向の放射線の線量を知ることができる。
【０１１７】
線量測定具１０Ａを使用した図１２に示す線量測定方法は、上下方向へ延びる支持架台４１を利用して長尺線材１１を上下方向へ伸長させ、各光刺激ルミネセンス線量計１２を空中において横方向へ並べ、それら光刺激ルミネセンス線量計１２を汚染区域の森林４０に所定時間放置することで、連結線材１５を介して長尺線材１１に連結された各光刺激ルミネセンス線量計１２が空中に所定間隔（略等間隔）で上下方向と横方向とへ分散（分布）し、包装袋１４に密封されたそれら光刺激ルミネセンス線量計１２によって森林４０の垂直方向の線量が測定されるから、汚染区域における森林４０の線量を労力をかけずに短時間で広範囲に測定することができ、森林４０の垂直方向の放射線の線量分布（汚染分布状況）を効率的に測定することができる。
【０１１８】
線量測定具１０Ａを使用した図１２に示す線量測定方法は、それら光刺激ルミネセンス線量計１２によって汚染区域における森林４０の垂直方向の線量を同時に測定することができ、光刺激ルミネセンス線量計１２における測定時間にずれが生じることはなく、森林４０の垂直方向の正確な放射線の線量を測定することができる。
【０１１９】
図１３は、線量測定具１０Ａを使用した放射線の線量測定方法の他の一例を示す側面図である。図１３は、たとえば、汚染区域に存在する事故前または事故後の原子力建屋４５の垂直方向の線量を測定する場合を示す。図１３に示す線量測定方法は、長尺線材１１（線量測定具１０Ａ）が木製や金属製、合成樹脂（プラスチック）製の一方向へ延びる細長い長尺の支持ロッド４６（竿）に取り付けられ、線量測定具１０Ａが支持ロッド４６から下方へ吊り下げられている。
【０１２０】
図１３に示す線量測定方法では、長尺線材１１の重量を増加させて線量測定具１０Ａを空中において安定させる安定おもり３７が長尺線材１１の一端部２９に連結され、他端部３０が支持ロッド４６の先端に着脱可能に連結されている。なお、長尺線材１１（線量測定具１０Ａ）がリール１６に巻き取られ、そのリール１６が支持ロッド４６の基端部に取り付けられ、長尺線材１１をリール１６から繰り出すことで、長尺線材１１（線量測定具１０Ａ）が支持ロッド４６の先端から次第に繰り出されるようにしてもよい。
【０１２１】
線量測定具１０Ａ（長尺線材１１）を巻き取ったリール１６や支持ロッド４６を汚染区域に存在する原子力建屋４５に運び、リール１６から線量測定具１０Ａ（長尺線材１１）を繰り出し、長尺線材１１を所定の長さに切断して複数の線量測定具１０Ａに分割する。次に、長尺線材１１の一端部２９に安定おもり３７を取り付け、長尺線材１１の他端部３０を支持ロッド４６の先端に連結する。
【０１２２】
支持ロッド４６の先端に吊り下げられた所定の長さ寸法の長尺線材１１（線量測定具１０Ａ）を原子力建屋４５の上階から下階に向かって吊り下げる。支持ロッド４６の後端部に支持具４７が設置され、支持具４７が原子力建屋４５の上階に載置されることより、線量測定具１０Ａが原子力建屋４５の上階から下階に向かって吊り下げられた状態で放置される。なお、複数本の支持ロッド４６を利用し、それら支持ロッド４６を原子力建屋４５の上階において横方向へ並べ、各支持ロッド４６から長尺線材１１（線量測定具１０Ａ）を吊り下げてもよい。
【０１２３】
長尺線材１１（線量測定具１０Ａ）は、安定おもり３７が下になった状態で原子力建屋４５の上階から下階へ向かって吊り下げられる。光刺激ルミネセンス線量計１２は、原子力建屋４５において所定間隔（略等間隔）で上下方向へ分散（分布）する。なお、シール１９に記載された番号（連番）によって各光刺激ルミネセンス線量計１２が特定されるとともに、光刺激ルミネセンス線量計１２の原子力建屋４５における測定箇所（測定場所）がその番号とともに記録される。
【０１２４】
それら線量測定具１０Ａが原子力建屋４５における空中の所定の位置に静止し、放射線に被ばくした原子力建屋４５から光刺激ルミネセンス線量計１２の表面１７または裏面１８に向かって放射線が照射される。長尺線材１１の一端部２９に連結された安定おもり３７を下にした状態で長尺線材１１を原子力建屋４５の上階から下階へ吊り下げたときに、安定おもり３７によって長尺線材１１の空中における遊動を防ぐことができ、各光刺激ルミネセンス線量計１２によって原子力建屋４５の垂直方向の線量を確実に測定することができる。
【０１２５】
支持ロッド４６を原子力建屋４５に所定時間放置した後（線量測定具１０Ａを原子力建屋４５に所定時間放置した後（測定時間が経過した後））、支持ロッド４６を原子力建屋４５から回収するとともに、支持ロッド４６からそれら線量測定具１０Ａを取り外し、線量測定具１０Ａを回収する。回収された線量測定具１０Ａは、原子力建屋４５の各箇所毎等に仕分けられるとともに、包装袋１４から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１２６】
線量読み取り装置に付属するコンピュータのディスプレイに表示された測定画像には、汚染区域の原子力建屋４５の上下方向の側面形状を示す側面形状図や原子力建屋４５の地形を示す平面地形図（鳥瞰図）が表示され、その側面形状図や平面地形図に原子力建屋４５における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、汚染区域に存在する原子力建屋４５の垂直方向の垂直方向の放射線の線量を知ることができる。
【０１２７】
線量測定具１０Ａを使用した図１３に示す線量測定方法は、細長い長尺の支持ロッド４６を利用して長尺線材１１（線量測定具１０Ａ）を原子力建屋４５の上階から下階へ向かって吊り下げ、各光刺激ルミネセンス線量計１２を原子力建屋４５の空中において垂直方向へ並べ、それら光刺激ルミネセンス線量計１２を原子力建屋４５の上階から下階において所定時間放置することで、連結線材１５を介して長尺線材１１に連結された各光刺激ルミネセンス線量計１２が原子力建屋４５において所定間隔（略等間隔）で上下方向へ分散（分布）し、包装袋１４に密封されたそれら光刺激ルミネセンス線量計１２によって原子力建屋４５の垂直方向の線量が測定されるから、原子力建屋４５の線量を労力をかけずに短時間で広範囲に測定することができ、原子力建屋４５の垂直方向の放射線の線量分布（汚染分布状況）を効率的に測定することができる。
【０１２８】
線量測定具１０Ａを使用した図１３に示す線量測定方法は、それら光刺激ルミネセンス線量計１２によって原子力建屋４５の垂直方向の線量を同時に測定することができ、光刺激ルミネセンス線量計１２における測定時間にずれが生じることはなく、原子力建屋４５の垂直方向の正確な放射線の線量を測定することができる。
【０１２９】
図１４は、他の一例として示す線量測定具１０Ｂの正面図であり、図１５は、図１４の線量測定具１０Ｂのうちの包装袋１４に収容された光刺激ルミネセンス線量計１２、おもり１３、連結線材１５を示す拡大図である。図１６は、図１５のＢ−Ｂ線端面図である。線量測定具１０Ｂは、図３のそれと同様に、一方向（長さ方向）へ長いフレキシブルな１本の長尺線材１１（長尺の支持部材）と、複数個の光刺激ルミネセンス線量計１２と、複数個のおもり１３と、光刺激ルミネセンス線量計１２およびおもり１３を収容する複数の包装袋１４（固定手段）と、長尺線材１１および包装袋１４を連結する複数本の連結線材１５（固定手段）とから形成されている。
【０１３０】
長尺線材１１や光刺激ルミネセンス線量計１２は、図３の線量測定具１０Ａのそれらと同一である。長尺線材１１（光刺激ルミネセンス線量計１２、おもり１３、包装袋１４、連結線材１５）は、図３のそれと同様に、リール１６に繰り出し可能に巻き取られている（図７援用）。それらおもり１３は、鉛から作られ、その重量が１０〜１００ｇの範囲にあり、包装袋１４の重量を増加させ、包装袋１４の不用意な遊動を防止する。おもり１３は、その平面形状が矩形に成形されている。それら包装袋１４は、図１のそれと同様に、互いに重なり合う熱可塑性合成樹脂シート２２（フィルム）から作られ、所定面積の表裏面２３，２４を有し、その大きさが光刺激ルミネセンス線量計１２やおもり１３のそれよりも大きい。
【０１３１】
包装袋１４は、図１４，１５に示すように、その平面形状が矩形に成形され、光刺激ルミネセンス線量計１２およびおもり１３を収容した収容部４８を有する。包装袋１４では、その両端縁部２７（周縁）と両側縁部２８（周縁）とに延びる熱可塑性合成樹脂シート２２（フィルム）がヒートシールや超音波シール、ラミネート加工によって水密にシールされ、収容部４８への水分の進入が阻止されている。
【０１３２】
１つの包装袋１４には、１個の光刺激ルミネセンス線量計１２と１個のおもり１３とが収容部４８に水密に密封されている。包装袋１４では、おもり１３が包装袋１４の端縁部２７に延びる熱可塑性合成樹脂シート２２に挟まれた状態で固定されている。包装袋１４の表面２３では、２枚の熱可塑性合成樹脂シート２２が重なり合い、それらシート２２に光刺激ルミネセンス線量計１２の表面１７が対向している。包装袋１４の裏面２４では、２枚の熱可塑性合成樹脂シート２２が重なり合い、それらシート２２に光刺激ルミネセンス線量計１２の裏面１８が対向している。なお、３枚以上に重なる熱可塑性合成樹脂シート２２が包装袋１４の表裏面２３，２４を形成していてもよい。
【０１３３】
それら連結線材１５は、図３のそれと同一であるが、連結線材１５の他端部が包装袋１４の側縁部２８に延びる熱可塑性合成樹脂シート２２に挟まれた状態で固定されている。線量測定具１０Ｂでは、それら連結線材１５が長尺線材１１の一方向へ所定間隔離間（等間隔離間）して取り付けられているから、包装袋１４に密封されたそれら光刺激ルミネセンス線量計１２が長尺線材１１の長さ方向へ所定間隔離間（等間隔離間）して並んでいる。なお、長さ方向へ隣接する光刺激ルミネセンス線量計１２どうしの長さ向への離間寸法Ｌ１に特に制限はない。
【０１３４】
図１４の線量測定具１０Ｂは、図１，２に示す汚染区域の大地３２（平原やグラウンド等）の地表３３の水平方向の線量を測定する線量測定方法、図８，９に示す汚染区域の水中３４（池や湖、河川等）の水底３５の水平方向の線量を測定する線量測定方法、図１０，１１に示すドローン３８を利用して汚染区域の建造物、森林や山谷等の起伏地の垂直方向の線量を測定する測定方法、図１２に示す支持架台４１を利用して汚染区域の森林４０（山地）の垂直方向の線量を測定する測定方法、図１３に示す支持ロッド４６（竿）を利用して事故前または事故後の原子力建屋４５の垂直方向の線量を測定する測定方法に使用することができる。線量測定具１０Ｂを使用した線量測定方法は、線量測定具１０Ａを使用した線量測定方法と同一の効果を有する。
【０１３５】
図１７は、他の一例として示す線量測定具１０Ｃの正面図である。この線量測定具１０Ｃの長尺線材１１は、縦方向（長さ方向）へ延びていて縦方向と交差する横方向へ所定寸法離間して並ぶ複数の第１長尺線材１１ａと、横方向へ延びていて縦方向へ所定寸法離間して並ぶ複数の第２長尺線材１１ｂとから形成されている。なお、第１および第２長尺線材１１ａ，１１ｂに連結された光刺激ルミネセンス線量計１２やおもり１３、包装袋１４の形態は図３の線量測定具１０Ａのそれと同一であるが、図１４の線量測定具１０Ｂの形態であってもよい。線量測定具１０Ｃでは、第１長尺線材１１ａと第２長尺線材１１ｂとの交差箇所が連結され、第１および第２長尺線材１１ａ，１１ｂが二次元に広がる平面的な第１ネット４９を形成している。
【０１３６】
図１７の線量測定具１０Ｃは、図１，２に示す汚染区域の大地３２（平原やグラウンド等）の地表３３の水平方向の線量を測定する線量測定方法、図８，９に示す汚染区域の水中３４（池や湖、河川等）の水底３５の水平方向の線量を測定する線量測定方法、図１０，１１に示す複数台のドローン３８を利用して汚染区域の建造物、森林や山谷等の起伏地の垂直方向の線量を測定する測定方法、図１２に示す複数の支持架台４１を利用して汚染区域の森林４０（山地）の垂直方向の線量を測定する測定方法、図１３に示す複数本の支持ロッド４６（竿）を利用して事故前または事故後の原子力建屋４５の垂直方向の線量を測定する測定方法に使用することができる。
【０１３７】
線量測定具１０Ｃを使用した線量測定方法は、第１および第２長尺線材１１ａ，１１ｂを伸長させた状態（第１ネット４９を広げた状態）の線量測定具１０Ｃを汚染区域の大地３２や水中３４等に所定時間放置することで、各光刺激ルミネセンス線量計１２が大地３２や水中３４等に所定間隔で広範囲に分散（分布）し、１つの線量測定具１０Ｃのそれら光刺激ルミネセンス線量計１２によって大地３２や水中３４等の水平方向の線量が広範囲に測定されるから、大地３２や水中３４等の水平方向の線量を労力をかけずに短時間で広範囲に測定することができ、大地３２や水中３４等の平面的な放射線の線量分布（汚染分布状況）を１つの線量測定具１０Ｃで広範囲に測定することができる。
【０１３８】
さらに、第２長尺線材１１ｂを横方向または前後方向へ伸長させるとともに第１長尺線材１１ａを上下方向へ吊した状態（第１ネット４９を広げた状態）でその線量測定具１０Ｃを汚染区域の建造物、森林や山谷等の起伏地に所定時間放置することで、各光刺激ルミネセンス線量計１２が上下方向のみならず横方向または前後方向へ広範囲に分散（分布）し、１つの線量測定具１０Ｃのそれら光刺激ルミネセンス線量計１２によって建造物、森林や山谷等の起伏地の垂直方向の線量が広範囲に測定されるから、建造物、森林や山谷等の起伏地の垂直方向の線量を労力をかけずに短時間で広範囲に測定することができ、建造物、森林や山谷等の起伏地の垂直方向の放射線の線量分布（汚染分布状況）を１つの線量測定具１０Ｃで広範囲に測定することができる。
【０１３９】
図１８は、他の一例として示す線量測定具１０Ｄの斜視図である。この線量測定具１０Ｄの長尺線材１１は、縦方向へ延びていて縦方向と交差する横方向と前後方向とへ所定寸法離間して並ぶ複数の第１長尺線材１１ａと、横方向へ延びていて前後方向へ所定寸法離間して並ぶ複数の第２長尺線材１１ｂと、前後方向へ延びていて縦方向と横方向とへ所定寸法離間して並ぶ複数の第３長尺線材１１ｃとから形成されている。なお、第１〜第３長尺線材１１ａ〜１１ｃに連結された光刺激ルミネセンス線量計１２やおもり１３、包装袋１４の形態は図３の線量測定具１０Ａのそれと同一であるが、図１４の線量測定具１０Ｂの形態であってもよい。線量測定具１０Ｄでは、第１長尺線材１１ａと第２長尺線材１１ｂと第３長尺線材１１ｃとの交差箇所が連結され、第１長尺線材〜第３長尺線材１１ａ〜１１ｃが三次元に広がる立体的な第２ネット５０を形成している。
【０１４０】
図１８の線量測定具１０Ｄは、図１０，１１に示す複数台のドローン３８を利用して汚染区域の建造物、森林や山谷等の起伏地の垂直方向の線量を測定する測定方法、図１２に示す複数の支持架台４１を利用して汚染区域の森林４０（山地）の垂直方向の線量を測定する測定方法、図１３に示す複数本の支持ロッド４６（竿）を利用して事故前または事故後の原子力建屋４５の垂直方向の線量を測定する測定方法に使用することができる。
【０１４１】
線量測定具１０Ｄを使用した線量測定方法は、第２長尺線材１１ｂを横方向へ伸長させ、第３長尺線材１１ｃを前後方向へ伸長させるとともに、第１長尺線材１１ａを上下方向へ吊した状態（第２ネット５０を広げた状態）で線量測定具１０Ｄを汚染区域の建造物、森林や山谷等の起伏地に所定時間放置することで、各光刺激ルミネセンス線量計１２が上下方向のみならず横方向および前後方向へ広範囲に分散（分布）し、１つの線量測定具１０Ｄのそれら光刺激ルミネセンス線量計１２によって建造物、森林や山谷等の起伏地の垂直方向の線量が広範囲に測定されるから、建造物、森林や山谷等の起伏地の垂直方向の線量を労力をかけずに短時間で広範囲に測定することができ、建造物、森林や山谷等の起伏地の立体的な放射線の線量分布（汚染分布状況）を１つの線量測定具１０Ｄで広範囲に調査することができる。
【０１４２】
図１９は、他の一例として示す線量測定具１０Ｅの正面図であり、図２０は、密封スペース５２に収容された光刺激ルミネセンス線量計１２を示す拡大図である。図２１は、図２０のＣ−Ｃ線端面図である。線量測定具１０Ｅは、長さ方向へ直状に延びるフレキシブルな長尺シート材５１（長尺の支持部材）と、複数個の光刺激ルミネセンス線量計１２と、長さ方向へ所定間隔離間して並ぶ複数の密封スペース５２（固定手段）とから形成されている。
【０１４３】
光刺激ルミネセンス線量計１２は、図３の線量測定具１０Ａのそれと同一である。長尺シート材５１は、互いに重なり合う透明な熱可塑性合成樹脂シート２２（熱可塑性合成樹脂フィルム）から作られている。熱可塑性合成樹脂シート２２には、既存の全ての熱可塑性合成樹脂から作られたシート２２（フィルム）を使用することができる。それら長尺シート材５１の間には、光刺激ルミネセンス線量計１２が介在している。長尺シート材５１（光刺激ルミネセンス線量計１２）は、図３の長尺線材１１と同様に、リール１６に繰り出し可能に巻き取られている（図７援用）。長尺シート材５１は、所定面積の表裏面２３，２４を有し、その大きさが光刺激ルミネセンス線量計１２のそれよりも大きい。
【０１４４】
線量測定具１０Ｅでは、光刺激ルミネセンス線量計１２に隣接する長尺シート材５１（熱可塑性合成樹脂シート２２）どうしが熱溶着によって水密にシールされ、長さ方向へ所定間隔離間（等間隔離間）して並ぶ密封スペース５２が作られている。それら密封スペース５２には、光刺激ルミネセンス線量計１２が水密かつ個別に密封（収容）されている。それら密封スペース５２では、その周囲に形成された所定幅のシール部５３によって水分の進入が阻止されている。熱可塑性合成樹脂シート２２のシール部５３は、ヒートシール機を利用したヒートシール、超音波シール機を利用した超音波シールによって作られている。
【０１４５】
長尺シート材５１の表面２３では、２枚の熱可塑性合成樹脂シート２２が重なり合い、それらシート２２に光刺激ルミネセンス線量計１２の表面１７が対向している。長尺シート材５１の裏面２４では、２枚の熱可塑性合成樹脂シート２２が重なり合い、それらシート２２に光刺激ルミネセンス線量計１２の裏面１８が対向している。なお、３枚以上に重なる熱可塑性合成樹脂シート２２が長尺シート材５１の表裏面２３，２４を形成していてもよい。
【０１４６】
線量測定具１０Ｅでは、それら密封スペース５２が長尺シート材５１の長さ方向へ所定間隔離間（等間隔離間）して並んでいるから、密封スペース５２に密封されたそれら光刺激ルミネセンス線量計１２が長尺シート材５１の長さ方向へ所定間隔離間（等間隔離間）して並んでいる。なお、長さ方向へ隣接する光刺激ルミネセンス線量計１２どうしの長さ方向への離間寸法Ｌ１に特に制限はない。
【０１４７】
図２２は、線量測定具１０Ｅを使用した放射線の線量測定方法の一例を示す上面図である。図２２は、汚染区域の大地３２（平原やグラウンド等）の地表３３の水平方向の線量を測定する場合を示す。図２２に示す線量測定方法では、長尺シート材５１の一端部２９と他端部３０とに接地おもり３１（接地手段）が連結されている。おもり３１は、長尺シート材５１のそれら端部２９，３０を地表３３に接地させる。なお、接地手段は、おもり３１の他に、長尺シート材５１のそれら端部２９，３０に取り付けられて地表３３に突き刺すピンや地表３３に螺着する螺子棒であってもよい。
【０１４８】
線量測定具１０Ｅ（長尺シート材５１）を巻き取ったリール１６を汚染区域（測定区域）の大地３２に運び、リール１６から線量測定具１０Ｅを繰り出し、長尺シート材５１を所定の長さに切断して複数の線量測定具１０Ｅに分割する。次に、それら線量測定具１０Ｅの長尺シート材５１の一端部２９と他端部３０とに接地おもり３１を取り付け、長尺シート材５１を前後方向（長さ方向）へ伸長させた状態でそれら線量測定具１０Ｅを大地３２の地表３３に載置し、図２２に示すように、それら線量測定具１０Ｅを大地３２において長さ方向と交差する横方向へ並べる。
【０１４９】
線量測定具１０Ｅを大地３２の地表３３に載置すると、線量測定具１０Ｅが地表３３の凹凸に沿って起伏するとともに（図９援用）、複数の光刺激ルミネセンス線量計１２が地表３３において長さ方向と横方向とへ略等間隔で分散（分布）する。光刺激ルミネセンス線量計１２の表面１７または裏面１８が長尺シート材５１を介して地表３３に接地する。なお、各光刺激ルミネセンス線量計１２の表面１７には番号（連番）を記載したシール１９が貼付されており、各光刺激ルミネセンス線量計１２が番号によって特定されるとともに、光刺激ルミネセンス線量計１２の地表３３に載置された測定箇所（測定場所）がその番号とともに記録される。
【０１５０】
放射線に被ばくした地表３３から光刺激ルミネセンス線量計１２の表面１７または裏面１８に向かって放射線が照射される。それら線量測定具１０Ｅでは、接地おもり３１によって大地３２における長尺シート材５１の不用意な遊動を防ぐことができるとともに、長尺シート材５１の密封スペース５２に収容された光刺激ルミネセンス線量計１２を地表３３に静止させることができ、大地３２における水平方向の線量を確実に測定することができる。
【０１５１】
それら線量測定具１０Ｅを大地３２の地表３３に所定時間放置した後（測定時間が経過した後）、各線量測定具１０Ｅを地表３３（汚染区域）から回収する。回収された線量測定具１０Ｅは、大地３２の各区域毎に仕分けられるとともに、密封スペース５２から光刺激ルミネセンス線量計１２が取り出され、各光刺激ルミネセンス線量計１２がその番号順に線量読み取り装置（図示せず）に設置され、光刺激ルミネセンス線量計１２に照射された放射線の線量が線量読み取り装置によって読み取られる。
【０１５２】
線量読み取り装置に付属するコンピュータのディスプレイに表示された測定画像には、汚染区域（測定区域）の大地３２の地形を示す平面地形図（鳥瞰図）や大地３２の側面形状を示す側面形状図が表示され、その平面地形図や側面形状図に各測定箇所（光刺激ルミネセンス線量計１２の接地箇所）が表示されるとともに、各測定箇所における放射線の線量が数値や棒グラフ等で表示される。測定画像は、プリンタによって出力される。測定画像を見ることで、汚染区域（測定区域）の大地３２における放射線の水平方向の平面的な線量を広範囲に知ることができる。
【０１５３】
線量測定具１０Ｅを使用した図２２に示す線量測定方法は、長尺シート材５１を前後方向（長さ方向）へ伸長させた状態の複数の線量測定具１０Ｅを横方向へ所定間隔離間させて並べ、それら線量測定具１０Ｅを汚染区域の大地３２の地表３３に所定時間放置することで、長尺シート材５１の密封スペース５２に密封された各光刺激ルミネセンス線量計１２が大地３２に所定間隔で広範囲に分散（分布）し、それら光刺激ルミネセンス線量計１２によって大地３２の水平方向の線量が測定されるから、大地３２の水平方向の線量を労力をかけずに短時間で広範囲に測定することができ、大地３２の水平方向の平面的な放射線の線量分布（汚染分布状況）を効率的に測定することができる。
【０１５４】
線量測定具１０Ｅを使用した図２２に示す線量測定方法は、それら光刺激ルミネセンス線量計１２によって大地３２の広範囲かつ平面的な線量を同時に測定することができ、光刺激ルミネセンス線量計１２における測定時間にずれが生じることはなく、大地３２の汚染区域の正確な放射線の線量を測定することができる。
【０１５５】
図２３は、線量測定具１０Ｅを使用した放射線の線量測定方法の他の一例を示す正面図である。図２３は、汚染区域の建造物、森林や山谷等の起伏地（図示せず）の垂直方向の線量を測定する場合を示す。建造物には、汚染区域の建造物のみならず、事故前や事故後の原子力建屋も含まれる。図２３に示す線量測定方法では、長尺シート材５１の重量を増加させ、線量測定具１０Ｅを空中において安定させる安定おもり３７が長尺シート材５１の一端部２９に連結されている。
【０１５６】
線量測定具１０Ｅは、リール１６に巻き取られ、リール１６とともにドローン３８（無人飛行体）に設置されている。ドローン３８は、図１０，１１のそれと同一である。リール１６は、ドローン３８に対して垂直に取り付けられ、モーターによって時計回り方向と反時計回り方向とへ回転する。安定おもり３７が取り付けられた長尺シート材５１の一端部２９がリール１６から下方に延出している。
【０１５７】
ドローン３８を汚染区域（測定区域）に運び、ドローン３８を起動（ローター３９を回転）させ、プロポによってドローン３８を上昇させてドローン３８を上空の測定箇所まで飛行させる。ドローン３８が上空の測定箇所に位置した後、その場でホバリングさせるとともに、リール１６を時計回り方向へ回転させ、長尺シート材５１（線量測定具１０Ｅ）をリール１６から繰り出す。
【０１５８】
長尺シート材５１（線量測定具１０Ｅ）がその設定長さ（設定繰り出し長さ）までリール１６から繰り出された後、ドローン３８を空中で所定時間ホバリングさせる。長尺シート材５１は、安定おもり３７が下になった状態でリール１６から下方へ吊り下げられる。光刺激ルミネセンス線量計１２が空中において所定間隔（略等間隔）で上下方向へ分布しつつ、空中の所定の位置に静止し、放射線に被ばくした建造物から光刺激ルミネセンス線量計１２の表面１７または裏面１８に向かって放射線が照射される。
【０１５９】
安定おもり３７によって長尺シート材５１の空中における遊動を防ぐことができ、各光刺激ルミネセンス線量計１２によって建造物、森林や山谷等の起伏地の垂直方向の線量を確実に測定することができる。なお、シール１９に記載された番号（連番）によって各光刺激ルミネセンス線量計１２が特定されるとともに、光刺激ルミネセンス線量計１２の空中における測定箇所（測定場所）がその番号とともに記録される。
【０１６０】
ドローン３８を空中に所定時間ホバリングさせた後（線量測定具１０Ｅを空中に所定時間放置した後（測定時間が経過した後））、リール１６を反時計回り方向へ回転させ、長尺シート材５１（線量測定具１０Ｅ）をリール１６に巻き取る。ドローン３８を着陸位置に着陸させ、ドローン３８からリール１６を取り外すととともに、リール１６から線量測定具１０Ｅを回収する。回収された線量測定具１０Ｅは、各汚染区域の建造物毎、森林や山谷等の起伏地毎に仕分けられるとともに、密封スペース５２から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１６１】
線量読み取り装置に付属するコンピュータのディスプレイに表示された測定画像には、汚染区域（測定区域）の建造物、森林や山谷等の起伏地の側面形状を示す側面形状図や建造物、森林や山谷等の起伏地の地形を示す平面地形図（鳥瞰図）が表示され、その側面形状図や平面地形図に各測定箇所（光刺激ルミネセンス線量計１２の静止箇所）が表示されるとともに、各測定箇所における放射線の線量が数値や棒グラフ等で表示される。測定画像は、プリンタによって出力される。測定画像を見ることで、汚染区域（測定区域）の建造物、森林や山谷等の起伏地における垂直方向の放射線の線量を知ることができる。
【０１６２】
線量測定具１０Ｅを使用した図２３に示す線量測定方法は、ドローン３８を利用して長尺シート材５１をリール１６から下方へ吊り下げ、各光刺激ルミネセンス線量計１２を空中において垂直方向へ並べ、それら光刺激ルミネセンス線量計１２を汚染区域の空中に所定時間放置することで、各光刺激ルミネセンス線量計１２が空中に所定間隔で上下方向へ分散（分布）しつつそれら光刺激ルミネセンス線量計１２によって建造物、森林や山谷等の起伏地の垂直方向の線量が測定されるから、建造物、森林や山谷等の起伏地の垂直方向の線量を労力をかけずに短時間で広範囲に測定することができ、建造物、森林や山谷等の起伏地の垂直方向の放射線の線量分布（汚染分布状況）を効率的に測定することができる。
【０１６３】
線量測定具１０Ｅを使用した図２３に示す線量測定方法は、それら光刺激ルミネセンス線量計１２によって建造物、森林や山谷等の起伏地の垂直方向の線量を同時に測定することができ、光刺激ルミネセンス線量計１２における測定時間にずれが生じることはなく、建造物、森林や山谷等の起伏地の垂直方向の正確な放射線の線量を測定することができる。
【０１６４】
図２４は、線量測定具１０Ｅを使用した放射線の線量測定方法の他の一例を示す側面図である。図２４は、汚染区域の森林４０（山地）の垂直方向の線量を測定する場合を示す。図２４に示す量線測定方法では、長尺シート材５１が長尺の支持架台４１に取り付けられ、支持架台４１に上下方向へ伸長状態で支持されている。支持架台４１は、図１２のそれと同一である。
【０１６５】
線量測定具１０Ｅ（長尺シート材５１）を巻き取ったリール１６や支持架台４１を汚染区域（測定区域）の森林４０に運び、リール１６から線量測定具１０Ｅを繰り出し、長尺シート材５１を所定の長さに切断して複数の線量測定具１０Ｅに分割する。次に、長尺シート材５１の一端部２９を下端支持台４３に連結し、長尺シート材５１の他端部３０を上端支持台４４に連結し、線量測定具１０Ｅを下端支持台４３と上端支持台４４との間に伸長下に設置する。
【０１６６】
線量測定具１０Ｅが上下方向へ延びるように、支持ロッド４２を起立させ、それら支持架台４１を横方向へ略等間隔離間させて森林４０に配置する。それら支持架台４１を配置すると、光刺激ルミネセンス線量計１２が空中において所定間隔（略等間隔）で上下方向と横方向とへ分散（分布）する。それら線量測定具１０Ａが森林４０における空中の所定の位置に静止し、放射線に被ばくした森林４０の木々から光刺激ルミネセンス線量計１２の表面１７または裏面１８に向かって放射線が照射される。
【０１６７】
長尺シート材５１の一端部２９が下端支持台４３に支持され、他端部３０が上端支持台４４に支持されているから、長尺シート材５１の空中における遊動を防ぐことができ、各光刺激ルミネセンス線量計１２によって汚染区域の森林４０の垂直方向の線量を確実に測定することができる。なお、シール１９に記載された番号（連番）によって各光刺激ルミネセンス線量計１２が特定されるとともに、光刺激ルミネセンス線量計１２の空中における測定箇所（測定場所）がその番号とともに記録される。
【０１６８】
それら支持架台４１を森林４０に所定時間放置した後（それら線量測定具１０Ｅを森林４０に所定時間放置した後（測定時間が経過した後））、それら支持架台４１を回収するとともに、支持架台４１からそれら線量測定具１０Ｅを取り外し、線量測定具１０Ｅを回収する。回収された線量測定具１０Ｅは、各汚染区域の森林４０毎に仕分けられるとともに、密封スペース５２から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１６９】
線量読み取り装置に付属するコンピュータのディスプレイに表示された測定画像には、汚染区域（測定区域）の森林４０の上下方向の側面形状を示す側面形状図や森林４０の地形を示す平面地形図（鳥瞰図）が表示され、その側面形状図や平面地形図に森林における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、汚染区域（測定区域）の森林４０における垂直方向の放射線の線量を知ることができる。
【０１７０】
線量測定具１０Ｅを使用した図２４に示す線量測定方法は、上下方向へ延びる支持架台４１を利用して長尺シート材５１を上下方向へ伸長させ、各光刺激ルミネセンス線量計１２を空中において横方向へ並べ、それら光刺激ルミネセンス線量計１２を汚染区域の森林４０に所定時間放置することで、各光刺激ルミネセンス線量計１２が空中に所定間隔（略等間隔）で上下方向と横方向とへ分散（分布）し、それら光刺激ルミネセンス線量計１２によって森林４０の垂直方向の線量が測定されるから、森林４０の垂直方向の線量を労力をかけずに短時間で広範囲に測定することができ、森林４０の垂直方向の放射線の線量分布（汚染分布状況）を効率的に測定することができる。
【０１７１】
線量測定具１０Ｅを使用した図２４に示す線量測定方法は、それら光刺激ルミネセンス線量計１２によって森林４０の垂直方向の線量を同時に測定することができ、光刺激ルミネセンス線量計１２における測定時間にずれが生じることはなく、森林４０の垂直方向の正確な放射線の線量を測定することができる。
【０１７２】
図２５は、線量測定具１０Ｅを使用した放射線の線量測定方法の他の一例を示す側面図である。図２５は、たとえば、汚染区域に存在する事故前または事故後の原子力建屋４５の垂直方向の線量を測定する場合を示す。図２５に示す線量測定方法では、長尺シート材５１が一方向へ延びる細長い長尺の支持ロッド４６（竿）に取り付けられ、支持ロッド４６から下方へ吊り下げられている。支持ロッド４６は、図１３のそれと同一である。
【０１７３】
図２５に示す線量測定方法では、長尺シート材５１の重量を増加させて線量測定具１０Ｅを空中において安定させる安定おもり３７が長尺シート材５１の一端部２９に連結され、他端部３０が支持ロッド４６の先端に着脱可能に連結されている。なお、長尺シート材５１（線量測定具１０Ｅ）がリール１６に巻き取られ、そのリール１６が支持ロッド４６の基端部に取り付けられ、長尺シート材５１をリール１６から繰り出すことで、長尺シート材５１（線量測定具１０Ｅ）が支持ロッド４６の先端から次第に繰り出されるようにしてもよい。
【０１７４】
線量測定具１０Ｅ（長尺シート材５１）を巻き取ったリール１６や支持ロッド４６を汚染区域の存在する原子力建屋４５に運び、リール１６から線量測定具１０Ｅを繰り出し、長尺シート材５１を所定の長さに切断して複数の線量測定具１０Ｅに分割する。次に、長尺シート材５１の一端部２９に安定おもり３７を取り付け、他端部３０を支持ロッド４６の先端に連結する。
【０１７５】
支持ロッド４６の先端に吊り下げられた所定の長さ寸法の長尺シート材５１（線量測定具１０Ｅ）を原子力建屋４５の上階から下階に向かって吊り下げる。支持ロッド４６の後端部に支持具４７が連結され、支持具４７が原子力建屋４５の上階に載置されることより、線量測定具１０Ｅが原子力建屋４５の上階から下階に向かって吊り下げられた状態で放置される。なお、複数本の支持ロッド４６を利用し、それら支持ロッド４６を原子力建屋４５の上階において横方向へ並べ、各支持ロッド４６から長尺シート材５１（線量測定具１０Ｅ）を吊り下げてもよい。
【０１７６】
光刺激ルミネセンス線量計１２は、原子力建屋４５においてその上階から下階に向かって所定間隔（略等間隔）で上下方向へ分散（分布）する。それら線量測定具１０Ｅが原子力建屋４５における空中の所定の位置に静止し、放射線に被ばくした原子力建屋４５から光刺激ルミネセンス線量計１２の表面１７または裏面１８に向かって放射線が照射される。
【０１７７】
長尺シート材５１の一端部２９に連結された安定おもり３７を下にした状態で長尺シート材５１を原子力建屋４５の上階から下階へ向かって吊り下げたときに、安定おもり３７によって長尺シート材５１（線量測定具１０Ｅ）の空中における遊動を防ぐことができ、各光刺激ルミネセンス線量計１２によって原子力建屋４５の垂直方向の線量を確実に測定することができる。なお、シール１９に記載された番号（連番）によって各光刺激ルミネセンス線量計１２が特定されるとともに、光刺激ルミネセンス線量計１２の原子力建屋４５における測定箇所（測定場所）がその番号とともに記録される。
【０１７８】
支持ロッド４６を原子力建屋４５に所定時間放置した後（線量測定具１０Ｅを原子力建屋４５に所定時間放置した後（測定時間が経過した後））、支持ロッド４６を原子力建屋４５から回収するとともに、支持ロッド４６から線量測定具１０Ｅを取り外し、線量測定具１０Ｅを回収する。回収された線量測定具１０Ｅは、原子力建屋４５の各箇所毎に仕分けられるとともに、密封スペース５２から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１７９】
線量読み取り装置に付属するコンピュータのディスプレイに表示された測定画像には、原子力建屋４５の上下方向の側面形状を示す側面形状図や原子力建屋４５の地形を示す平面地形図（鳥瞰図）が表示され、その側面形状図や平面地形図に原子力建屋４５における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、原子力建屋４５（汚染区域）の垂直方向の放射線の線量を知ることができる。
【０１８０】
線量測定具１０Ｅを使用した図２５に示す線量測定方法は、細長い長尺の支持ロッド４６を利用して長尺シート材５１（線量測定具１０Ｅ）を原子力建屋４５の上階から下階へ向かって吊り下げ、各光刺激ルミネセンス線量計１２を原子力建屋４５の空中において垂直方向へ並べ、それら光刺激ルミネセンス線量計１２を原子力建屋４５の上階に所定時間放置することで、各光刺激ルミネセンス線量計１２が原子力建屋４５においてその上階から下階に向かって所定間隔（略等間隔）で上下方向へ分布し、それら光刺激ルミネセンス線量計１２によって原子力建屋４５の垂直方向の線量が測定されるから、原子力建屋４５の垂直方向の線量を労力をかけずに短時間で広範囲に測定することができ、原子力建屋４５の垂直方向の線量分布（汚染分布状況）を効率的に測定することができる。
【０１８１】
線量測定具１０Ｅを使用した図２５に示す線量測定方法は、それら光刺激ルミネセンス線量計１２によって原子力建屋４５の垂直方向の線量を同時に測定することができ、光刺激ルミネセンス線量計１２における測定時間にずれが生じることはなく、原子力建屋４５の垂直方向の正確な放射線の線量を測定することができる。
【０１８２】
図２６は、他の一例として示す線量測定具１０Ｆの正面図であり、図２７は、密封スペース５２に収容された光刺激ルミネセンス線量計１２、おもり１３を示す拡大図である。図２８は、図２７のＤ−Ｄ線端面図である。線量測定具１０Ｆは、長さ方向へ直状に延びるフレキシブルな長尺シート材５１（長尺の支持部材）と、複数個の光刺激ルミネセンス線量計１２と、複数個のおもり１３と、長さ方向へ所定間隔離間して並ぶ複数の密封スペース５２（固定手段）とから形成されている。
【０１８３】
光刺激ルミネセンス線量計１２は、図３の線量測定具１０Ａのそれと同一である。長尺シート材５１は、図１９の線量測定具１０Ｅのそれと同一である。長尺シート材５１の間には、光刺激ルミネセンス線量計１２が介在するとともに、線量計１２に隣接しておもり１３が介在している。長尺シート材５１（光刺激ルミネセンス線量計１２、おもり１３）は、図３の長尺線材１１と同様に、リール１６に繰り出し可能に巻き取られている（図７援用）。それらおもり１３は、鉛から作られ、その重量が１０〜１００ｇの範囲にあり、長尺シート材５１（各密封スペース５２）の重量を増加させ、長尺シート材５１の不用意な遊動を防止する。おもり１３は、その平面形状が矩形に成形されている。
【０１８４】
線量測定具１０Ｆでは、光刺激ルミネセンス線量計１２およびおもり１３に隣接する長尺シート材５１（熱可塑性合成樹脂シート２２）どうしが熱溶着によって水密にシールされ、長さ方向へ所定間隔離間（等間隔離間）して並ぶ密封スペース５２が作られている。それら密封スペース５２には、光刺激ルミネセンス線量計１２およびおもり１３が水密かつ個別に密封（収容）されている。それら密封スペース５２では、その周囲に形成された所定幅のシール部５３によって水分の進入が阻止されている。
【０１８５】
線量測定具１０Ｆでは、それら密封スペース５２が長尺シート材５１の長さ方向へ所定間隔離間（等間隔離間）して並んでいるから、密封スペース５２に密封されたそれら光刺激ルミネセンス線量計１２が長尺シート材５１の長さ方向へ所定間隔離間（等間隔離間）して並んでいる。なお、長さ方向へ隣接する光刺激ルミネセンス線量計１２どうしの一方向への離間寸法Ｌ１に特に制限はない。
【０１８６】
図２９は、線量測定具１０Ｆを使用した放射線の線量測定方法の他の一例を示す上面図である。図２９は、汚染区域の水中３４（池や湖、河川等）の水底３５の水平方向の線量を測定する場合を示す。図２９に示す線量測定方法では、長尺シート材５１の一端部２９と他端部３０とに接地おもり３１（接地手段）が連結されているとともに、一端部２９と他端部３０とに浮子３６が連結されている。接地おもり３１は、長尺シート材５１のそれら端部２９，３０を水底３５に接地させる。なお、接地手段は、おもり３１の他に、長尺シート材５１のそれら端部２９，３０に取り付けられて水底３５に突き刺すピンや水底３５に螺着する螺子棒であってもよい。
【０１８７】
線量測定具１０Ｆ（長尺シート材５１）を巻き取ったリール１６を汚染区域（測定区域）の池や湖、河川等に運び、リール１６から線量測定具１０Ｅを繰り出し、長尺シート材５１を所定の長さに切断して複数の線量測定具１０Ｆに分割する。次に、長尺シート材５１の一端部２９と他端部３０とに接地おもり３１を取り付けるとともに浮子３６を取り付ける。長尺シート材５１を前後方向（長さ方向）へ伸長させた状態でそれら線量測定具１０Ｆを水中３４に沈め、図２９に示すように、それら線量測定具１０Ｆを水中３４において長さ方向と交差する横方向へ並べる。
【０１８８】
線量測定具１０Ｆを水中３４に沈めると、線量測定具１０Ｆが水底３５の凹凸に沿って起伏するとともに、複数の光刺激ルミネセンス線量計１２が水底３５において前後方向と横方向とへ略等間隔で分散（分布）し、浮子３６が水面に浮上する（図９援用）。光刺激ルミネセンス線量計１２の表面１７または裏面１８が長尺シート材５１を介して水底３５に接地し、放射線に被ばくした水底３５から光刺激ルミネセンス線量計１２の表面１７または裏面１８に向かって放射線が照射される。なお、シール１９に記載された番号（連番）によって各光刺激ルミネセンス線量計１２が特定されるとともに、光刺激ルミネセンス線量計１２の水底３５における測定箇所（測定場所）がその番号とともに記録される。
【０１８９】
それら線量測定具１０Ｆでは、接地おもり３１によって水底３５における長尺シート材５１の不用意な遊動を防ぐことができるとともに、長尺シート材５１の密封スペース５２に密封されたおもり１３によって光刺激ルミネセンス線量計１２を水底３５に静止させることができ、水底３５における水平方向の線量を確実に測定することができる。また、線量測定具１０Ｆは、長尺シート材５１の一端部２９と他端部３０とに連結された浮子３６が水面に浮上することで、浮子３６が水中に沈んだ線量測定具１０Ｆの位置を知る目印となり、測定が終了した線量測定具１０Ｆを浮子３６を利用して水中３４から容易に引き上げることができる。
【０１９０】
それら線量測定具１０Ｆを水中３４の水底３５に所定時間放置した後（測定時間が経過した後）、それら線量測定具１０Ｆを水中３４から引き上げ、各線量測定具１０Ｆを回収する。回収された線量測定具１０Ｆは、水底３５の各区域毎に仕分けられるとともに、密封スペース５２から光刺激ルミネセンス線量計１２が取り出され、各光刺激ルミネセンス線量計１２がその番号順に既述の線量読み取り装置（図示せず）に設置され、光刺激ルミネセンス線量計１２に照射された放射線の線量が線量読み取り装置によって読み取られる。
【０１９１】
線量読み取り装置に付属するコンピュータのディスプレイに表示された測定画像には、汚染区域（測定区域）の水底３５の地形を示す平面地形図（鳥瞰図）や水底３５の側面形状を示す側面形状図が表示され、その平面地形図や側面形状図に各測定箇所（光刺激ルミネセンス線量計１２の接地箇所）が表示されるとともに、各測定箇所における放射線の線量が数値や棒グラフ等で表示される。測定画像は、プリンタによって出力される。測定画像を見ることで、汚染区域（測定区域）の水３４中の水底３４における放射線の水平方向の平面的な線量を広範囲に知ることができる。
【０１９２】
線量測定具１０Ｆを使用した図２９に示す線量測定方法は、長尺シート材５１を前後方向（長さ方向）へ伸長させた状態の複数の線量測定具１０Ｆを水中３５に沈め、それら線量測定具１０Ｆを水底３５において横方向へ所定間隔離間させて並べ、それら線量測定具１０Ｆを汚染区域の水中３４の水底３５に所定時間放置することで、密封スペース５２に密封された各光刺激ルミネセンス線量計１２が水底３５において前後方向と横方向とへ所定間隔で広範囲に分散（分布）し、それら光刺激ルミネセンス線量計１２によって水底３５の水平方向の線量が測定されるから、水底３５の線量を労力をかけずに短時間で広範囲に測定することができ、水底３５の水平方向の平面的な放射線の線量分布（汚染分布状況）を効率的に測定することができる。
【０１９３】
線量測定具１０Ｆを使用した図２９に示す線量測定方法は、それら光刺激ルミネセンス線量計１２によって水中３４の水底３５の広範囲かつ平面的な線量を同時に測定することができ、光刺激ルミネセンス線量計１２における測定時間にずれが生じることはなく、水底３５の水平方向の正確な放射線の線量を測定することができる。
【０１９４】
図１９の線量測定具１０Ｅは、図２９に示す汚染区域の水中３４（池や湖、河川等）の水底３５の水平方向の線量を測定する線量測定方法に使用することもできる。図１９の線量測定具１０Ｅを使用した図２９に示す線量測定方法の効果は、図２６の線量測定具１０Ｆを使用した図２９に示す線量測定方法のそれと同一である。図２６の線量測定具１０Ｆは、図２２に示す汚染区域の大地３２の水平方向の線量を測定する線量測定方法や図２３に示す汚染区域の建造物、森林や山谷等の起伏地の垂直方向の線量を測定する線量測定方法、図２４に示す汚染区域の森林４０の垂直方向の線量を測定する線量測定方法、図２５に示す汚染区域に存在する事故前または事故後の原子力建屋４５の垂直方向の線量を測定する線量測定方法に使用することもできる。図２６の線量測定具１０Ｆを使用した図２２や図２３、図２４、図２５に示す線量測定方法の効果は、図１９の線量測定具１０Ｅを使用した図２２や図２３、図２４、図２５に示す線量測定方法のそれと同一である。
【０１９５】
図３０は、他の一例として示す線量測定具１０Ｇの正面図である。この線量測定具１０Ｇの長尺シート材５１は、縦方向へ延びていて縦方向と交差する横方向へ所定寸法離間して並ぶ複数の第１長尺シート材５１ａと、横方向へ延びていて縦方向へ所定寸法離間して並ぶ複数の第２長尺シート材５１ｂとから形成されている。第１および第２長尺シート材５１ａ，５１ｂの密封スペース５２や密封スペース５２に密封された光刺激ルミネセンス線量計１２の形態は図１９の線量測定具１０Ｅのそれらと同一である。
【０１９６】
線量測定具１０Ｇでは、第１長尺シート材５１ａと第２長尺シート材５１ｂとの交差箇所が連結され、第１および第２長尺シート材５１ａ，５１ｂが二次元に広がる平面的な第１ネット４９を形成している。なお、図示はしていないが、図２６の線量測定具１０Ｆの長尺シート材５１が複数の第１長尺シート材５１ａと複数の第２長尺シート材５１ｂとから形成され、第１および第２長尺シート材５１ａ，５１ｂの交差箇所が連結され、線量測定具１０Ｆの第１および第２長尺シート５１ａ，５１ｂ材が二次元に広がる平面的な第１ネット４９を形成していてもよい。
【０１９７】
図３０の線量測定具１０Ｇは、図２２に示す汚染区域の大地３２の水平方向の線量を測定する線量測定方法や図２３に示す汚染区域の建造物、森林や山谷等の起伏地の垂直方向の線量を測定する線量測定方法、図２４に示す汚染区域の森林４０の垂直方向の線量を測定する線量測定方法、図２５に示す汚染区域に存在する事故前または事故後の原子力建屋４５の垂直方向の線量を測定する線量測定方法、図２９に示す汚染区域の水中３４（池や湖、河川等）の水底３５の水平方向の線量を測定する線量測定方法に使用することができる。
【０１９８】
線量測定具１０Ｇを使用した線量測定方法は、第１および第２長尺シート材５１ａ，５１ｂを伸長させた状態（第１ネット４９を広げた状態）の線量測定具１０Ｇを汚染区域の大地３２や水中３４等に所定時間放置することで、各光刺激ルミネセンス線量計１２が大地３２や水中３４等に所定間隔で広範囲に分散（分布）し、１つの線量測定具１０Ｇのそれら光刺激ルミネセンス線量計１２によって大地３２や水中３４等の水平方向の線量が広範囲に測定されるから、大地３２や水中３４等の水平方向の線量を労力をかけずに短時間で広範囲に測定することができ、大地３２や水中３４等の平面的な放射線の線量分布（汚染分布状況）を１つの線量測定具１０Ｇで広範囲に測定することができる。
【０１９９】
さらに、第２長尺シート材５１ｂを横方向または前後方向へ伸長させるとともに第１長尺シート材５１ａを上下方向へ吊した状態（第１ネット４９を広げた状態）でその線量測定具１０Ｇを汚染区域の建造物、森林や山谷等の起伏地に所定時間放置することで、各光刺激ルミネセンス線量計１２が上下方向のみならず横方向または前後方向へ広範囲に分散（分布）し、１つの線量測定具１０Ｇのそれら光刺激ルミネセンス線量計１２によって建造物、森林や山谷等の起伏地の垂直方向の線量が広範囲に測定されるから、建造物、森林や山谷等の起伏地の垂直方向の線量を労力をかけずに短時間で広範囲に測定することができ、建造物、森林や山谷等の起伏地の垂直方向の放射線の線量分布（汚染分布状況）を１つの線量測定具１０Ｇで広範囲に測定することができる。
【０２００】
図３１は、他の一例として示す線量測定具１０Ｈの斜視図である。  この線量測定具１０Ｈの長尺シート材５１は、縦方向へ延びていて縦方向と交差する横方向と前後方向とへ所定寸法離間して並ぶ複数の第１長尺シート材５１ａと、横方向へ延びていて前後方向へ所定寸法離間して並ぶ複数の第２長尺シート材５１ｂと、前後方向へ延びていて縦方向と横方向とへ所定寸法離間して並ぶ複数の第３長尺シート材５１ｃとから形成されている。第１〜第３長尺シート材５１ａ〜５１ｃの密封スペース５２や密封スペース５２に密封された光刺激ルミネセンス線量計１２の形態は図１９の線量測定具１０Ｅのそれらと同一である。
【０２０１】
線量測定具１０Ｈでは、第１長尺シート材５１ａと第２長尺シート材５１ｂと第３長尺シート材５１ｃとの交差箇所が連結され、第１長尺シート材〜第３長尺シート材５１ａ〜５１ｃが三次元に広がる立体的な第２ネット５０を形成している。なお、図示はしていないが、図２６の線量測定具１０Ｆの長尺シート材５１が複数の第１長尺シート材５１ａと複数の第２長尺シート材５１ｂと複数の第３長尺シート材５１ｃとから形成され、第１〜第３長尺シート材５１ａ〜５１ｃの交差箇所が連結され、線量測定具１０Ｆの第１〜第３長尺シート材５１ａ〜５１ｃが三次元に広がる立体的な第２ネット５０を形成していてもよい。
【０２０２】
図３１の線量測定具１０Ｈは、図２３に示す複数台のドローン３８を利用して汚染区域の建造物、森林や山谷等の起伏地の垂直方向の線量を測定する測定方法、図２４に示す複数の支持架台４１を利用して汚染区域の森林４０（山地）の垂直方向の線量を測定する測定方法、図２５に示す複数本の支持ロッド４６（竿）を利用して事故前または事故後の原子力建屋４５の垂直方向の線量を測定する測定方法に使用することができる。
【０２０３】
線量測定具１０Ｇを使用した線量測定方法は、第２長尺線材５１ｂを横方向へ伸長させ、第３長尺線材５１ｃを前後方向へ伸長させるとともに、第１長尺線材５１ａを上下方向へ吊した状態（第２ネット５０を広げた状態）で線量測定具１０Ｇを汚染区域の建造物、森林や山谷等の起伏地に所定時間放置することで、各光刺激ルミネセンス線量計１２が上下方向のみならず横方向および前後方向へ広範囲に分散（分布）し、１つの線量測定具１０Ｇのそれら光刺激ルミネセンス線量計１２によって建造物、森林や山谷等の起伏地の垂直方向の線量が広範囲に測定されるから、建造物、森林や山谷等の起伏地の垂直方向の線量を労力をかけずに短時間で広範囲に測定することができ、建造物、森林や山谷等の起伏地の立体的な放射線の線量分布（汚染分布状況）を１つの線量測定具１０Ｇで広範囲に測定することができる。
【０２０４】
図３２は、他の一例として示す線量測定具１０Ｉの斜視図であり、図３３は、図３２の線量測定具１０Ｉを使用した放射線の線量測定方法の他の一例を示す斜視図である。図３３は、放射線に被ばくした汚染区域の地中５４の線量（線量分布）を測定する場合を示す。地中５４には、土中や泥中、砂中がある。線量測定方法に使用する線量測定具１０Ｉは、図１９に示す線量測定具１０Ｅと、軸方向（長さ方向）へ長い長尺の突き刺しロッド５５と、水平プレート５６および柄部５７とから形成されている。なお、線量測定具１０Ｉでは、線量測定具１０Ｅに代えて図２６に示す線量測定具１０Ｆを使用することもできる。
【０２０５】
線量測定具１０Ｅは、長さ方向へ直状に延びるフレキシブルな長尺シート材５１（長尺の支持部材）と、複数個の光刺激ルミネセンス線量計１２と、長さ方向へ所定間隔離間して並ぶ複数の密封スペース５２（固定手段）とから形成されている。突き刺しロッド５５は、金属や合成樹脂（プラスチック）から作られ、長さ方向へ長い平たい板状に成形されているとともに、その先端部５８が先細りに成形されている。なお、突き刺しロッド５５の形状に特に制限はなく、突き刺しロッド５５が長さ方向へ長い棒状に成形されていてもよい。突き刺しロッド５５の一側面には、その軸方向へ並ぶ目盛り５９が表示されている。目盛り５９は、突き刺しロッド５５を地中５４へ突き刺したときの突き刺しロッド５５の地中５４への突き刺し長さ（深さ）を示す。
【０２０６】
線量測定具１０Ｉでは、長尺シート材５１を突き刺しロッド５５の軸方向へ直状に伸長させた状態で長尺シート材５１が突き刺しロッド５５に固定されている。長尺シート材５１は、突き刺しロッド５５の一側面の略中央部に接着剤や熱溶着によって固定されている。線量測定具１０Ｉでは、密封スペース５２に密封されたそれら光刺激ルミネセンス線量計１２が突き刺しロッド５５の軸方向へ所定間隔離間（等間隔離間）して並んでいる。
【０２０７】
水平プレート５６は、金属や合成樹脂（プラスチック）から作られ、平たい円板状に成形されている。水平プレート５６は、突き刺しロッド５５の上端部６０に取り付けられている。水平プレート５６が地表３３に当接することで、突き刺しロッド５５の地中５４へのそれ以上の突き刺しが規制される。柄部５７は、金属や合成樹脂（プラスチック）から作られ、軸方向へ延びる棒状に成形されている。柄部５７は、突き刺しロッド５５の上端部６０に取り付けられている。
【０２０８】
図３３に示す線量測定方法では、線量測定具１０Ｉを汚染区域（測定区域）に運び、柄部５７を把持して突き刺しロッド５５を汚染区域の地表３３から地中５４に突き刺す。突き刺しロッド５５を突き刺すと、ロッド５５がその先端部５８から上端部６０に向かって地中に次第に進入する。線量測定具１０Ｉは、その一側面に表示された目盛り５９を確認しつつ、突き刺しロッド５５の地中５４への突き刺し長さ（深さ）を調節する。線量測定具１０Ｉの突き刺しロッド５５を地中５４に突き刺すと、複数の光刺激ルミネセンス線量計１２が地中５４においてその深さ方向へ略等間隔で分散（分布）する。各光刺激ルミネセンス線量計１２の表面１７には番号（連番）を記載したシール１９が貼付されており、各光刺激ルミネセンス線量計１２が番号によって特定されるとともに、光刺激ルミネセンス線量計１２の地中５４における測定箇所（測定場所）がその番号とともに記録される。
【０２０９】
突き刺しロッド５５を地中５４に突き刺した状態で、線量測定具１０Ｉを所定時間放置する。放射線に被ばくした地中５４からそれら光刺激ルミネセンス線量計１２の表面１７または裏面１８に向かって放射線が照射される。線量測定具１０Ｉを所定時間放置した後（測定時間が経過した後）、柄部５７を把持して突き刺しロッド５５を地中５４から抜き取り、線量測定具１０Ｉを回収する。回収された線量測定具１０Ｉは、各区域毎（各場所毎）に仕分けられるとともに、密封スペース５２から光刺激ルミネセンス線量計１２が取り出され、各光刺激ルミネセンス線量計１２がその番号順に線量読み取り装置（図示せず）に設置される。光刺激ルミネセンス線量計１２に照射された放射線の線量は、線量読み取り装置によって読み取られる。
【０２１０】
線量読み取り装置に付属するコンピュータのディスプレイに表示された測定画像には、汚染区域（測定区域）の地中５４の深さ方向の側面形状を示す側面形状図が表示され、その側面形状図に地中５４における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、汚染区域（測定区域）の地中５４における深さ方向の放射線の線量を知ることができる。
【０２１１】
線量測定具１０Ｉを使用した図３３に示す線量測定方法は、突き刺しロッド５５を地中５４に突き刺すことで、長尺シート材５１とともに長尺シート材５１の密封スペース５２に密封された各刺激ルミネセンス線量計１２が地中５４に進入し、突き刺しロッド５５を汚染区域の地中５４に所定時間放置することで、各刺激ルミネセンス線量計１２が地中５４においてその深さ方向へ所定間隔で分散（分布）しつつ、それら刺激ルミネセンス線量計１２によって地中５４の放射線の線量が測定されるから、汚染区域の地中５４の線量を労力をかけずに短時間で測定することができ、汚染区域の地中５４の深さ方向の放射線の線量分布を効率的に測定することができる。
【０２１２】
線量測定具１０Ｉを使用した図３３に示す線量測定方法は、突き刺しロッド５５に固定されたそれら光刺激ルミネセンス線量計１２によって地中５４の放射線の線量を同時に測定することができ、それら光刺激ルミネセンス線量計１２における測定時間にずれが生じることはなく、地中５４の正確な線量分布を測定することができる。
【０２１３】
線量測定具１０Ｉを使用した図３３に示す線量測定方法は、突き刺しロッド５５を地中５４へ突き刺したときの地中５４への突き刺し長さ（深さ）を示す目盛り５９が突き刺しロッド５５に表示されているから、目盛り５９によって突き刺しロッド５５を地中５４へ突き刺したときの地中５４への突き刺し長さが分かり、地中５４への測定深さを知ることができ、それら光刺激ルミネセンス線量計１２が位置する地中５４の深さを知ることができる。
【０２１４】
図３４は、他の一例として示す線量測定具１０Ｊの斜視図であり、図３５は、図３４の線量測定具１０Ｊを使用した放射線の線量測定方法の他の一例を示す斜視図である。図３６は、図３５から続く線量測定方法の斜視図である。図３５，３６は、放射線に被ばくした汚染区域の水中３４の水深が深い深奥の水底３５の地中５４の線量（線量分布）を測定する場合を示す。
【０２１５】
線量測定方法に使用する線量測定具１０Ｊは、図１９に示す線量測定具１０Ｅと、軸方向（長さ方向）へ長い長尺の突き刺しロッド５５と、水平プレート５６および柄部５７と、伸縮可能な軸方向（長さ方向）へ長い長尺の伸縮棒６１（伸縮ロッド）および長尺の紐６２と、浮子３６とから形成されている。なお、線量測定具１０Ｊでは、線量測定具１０Ｅに代えて図２６に示す線量測定具１０Ｆを使用することもできる。線量測定具１０Ｅや突き刺しロッド５５、水平プレート５６、柄部５７は、図３２の線量測定具１０Ｉのそれらと同一であるから、図３２と同一の符号を付すとともに、図３２の線量測定具１０Ｉの説明を援用することで、それらの説明は省略する。
【０２１６】
伸縮棒６１は、金属や合成樹脂（プラスチック）から作られている。伸縮棒６１は、柄部５７（突き刺しロッド５５の上端部６０）に着脱可能に取り付けられ、軸方向へ伸縮可能である。伸縮棒６１は、たとえば、その下端部に雄螺子が作られ、柄部５７に作られた雌螺子に螺着することで柄部５７に取り付けられている。伸縮棒６１を時計回り方向へ回転させることで、伸縮棒６１の下端部が柄部５７に螺着され、伸縮棒６１を柄部５７に取り付けることができ、伸縮棒６１を反時計回り方向へ回転させることで、伸縮棒６１を柄部５７から取り外すことができる。
【０２１７】
紐６２は、合成樹脂（プラスチック）や布地から作られている。紐６２は、その下端部が水平プレート５６に穿孔された挿通孔６３に挿通されているとともに、伸縮棒６１の上端部に取り付けられた挿通金具６４に挿通され、伸縮棒６１に沿って軸方向へ延びている。浮子３６は、紐６２の上端部に連結されている。浮子３６は、突き刺しロッド５５を水底３５の地中５４に突き刺したときに水面に浮上する。
【０２１８】
図３５，３６に示す線量測定方法では、線量測定具１０Ｊを汚染区域（測定区域）に運び、伸縮棒６１を柄部５７に螺着して伸縮棒６１を柄部５７に取り付ける。水中３４の水深に応じて伸縮棒６１の長さを調節した後、伸縮棒６１の上端部を把持して伸縮棒６１とともに突き刺しロッド５５を汚染区域の水中３４に投入し、伸縮棒６１を利用して突き刺しロッド５５を水底３５から地中５４（泥中）に突き刺す（図３５参照）。線量測定具１０Ｊの突き刺しロッド５５を水底３５の地中５４に突き刺すと、複数の光刺激ルミネセンス線量計１２が地中５４においてその深さ方向へ略等間隔で分散（分布）する。
【０２１９】
突き刺しロッド５５を水底３５の地中５４に突き刺した後、伸縮棒６１を反時計回り方向へ回転させて伸縮棒５５を柄部５７から取り外すとともに、挿通金具６４を伸縮棒６１の上端部から取り外し、伸縮棒６１を水中３４か抜き取る。伸縮棒６１を水中３４から抜き取ると、突き刺しロッド５５の水底３５の地中５４への突き刺しが維持された状態で、紐６２に連結された浮子３６が水面に浮上する（図３６参照）。なお、各光刺激ルミネセンス線量計１２の表面１７には番号（連番）を記載したシール１９が貼付されており、各光刺激ルミネセンス線量計１２が番号によって特定されるとともに、光刺激ルミネセンス線量計１２の水底３５の地中５４における測定箇所（測定場所）がその番号とともに記録される。
【０２２０】
突き刺しロッド５５を水底３５の地中５４に突き刺した状態で、線量測定具１０Ｊを所定時間放置する。放射線に被ばくした地中５４からそれら光刺激ルミネセンス線量計１２の表面１７または裏面１８に向かって放射線が照射される。線量測定具１０Ｊを所定時間放置した後（測定時間が経過した後）、紐６２を把持して線量測定具１０Ｊを引っ張り上げ、突き刺しロッド５５を水底３５の地中５４から抜き取り、線量測定具１０Ｊを回収する。回収された線量測定具１０Ｊは、各区域毎（各場所毎）に仕分けられるとともに、密封スペース５２から光刺激ルミネセンス線量計１２が取り出され、各光刺激ルミネセンス線量計１２がその番号順に線量読み取り装置（図示せず）に設置される。光刺激ルミネセンス線量計１２に照射された放射線の線量は、線量読み取り装置によって読み取られる。
【０２２１】
線量読み取り装置に付属するコンピュータのディスプレイに表示された測定画像には、汚染区域（測定区域）の水底３５の地中５４の深さ方向の側面形状を示す側面形状図が表示され、その側面形状図に地中５４における各測定箇所（光刺激ルミネセンス線量計１２の配置箇所）が表示されるとともに、各測定箇所における放射線の線量が数値や棒グラフ等で表示される。測定画像は、プリンタによって出力される。測定画像を見ることで、汚染区域（測定区域）の水底３５の地中５４における深さ方向の放射線の線量を知ることができる。
【０２２２】
線量測定具１０Ｊを使用した図３５，３６に示す線量測定方法は、突き刺しロッド５５を水底３５の地中５４に突き刺すことで、長尺シート材５１とともに長尺シート材５１の密封スペース５２に密封された各刺激ルミネセンス線量計１２が地中５４に進入し、突き刺しロッド５５を汚染区域の水底３５の地中５４に所定時間放置することで、各刺激ルミネセンス線量計１２が地中５４においてその深さ方向へ所定間隔で分散（分布）しつつ、それら刺激ルミネセンス線量計１２によって水底３５の地中５４の放射線の線量が測定されるから、汚染区域の地中５４の線量を労力をかけずに短時間で測定することができ、汚染区域の水底３５の地中５４の深さ方向の放射線の線量分布を効率的に測定することができる。
【０２２３】
線量測定具１０Ｊを使用した図３５，３６に示す線量測定方法は、突き刺しロッド５５に固定されたそれら光刺激ルミネセンス線量計１２によって水底３５の地中５４の放射線の線量を同時に測定することができ、それら光刺激ルミネセンス線量計１２における測定時間にずれが生じることはなく、水底３５の地中５４の正確な線量分布を測定することができる。
【０２２４】
線量測定具１０Ｊを使用した図３５，３６に示す線量測定方法は、水深が深い深奥の水中３４の水底３５の地中５４（泥中）に突き刺しロッド５５を突き刺す場合、伸縮棒６１を利用することで水中３４に潜ることなく突き刺しロッド５５を水面から水底３５の地中５４に突き刺すことができ、深奥の水中３４の水底３５の地中５４の放射線の線量分布を容易に測定することができる。線量測定方法は、水深が深い深奥の水中３４の地中５４（泥中）に突き刺しロッド５５を突き刺した後、紐６２の先端部に連結された浮子３６が水面に浮上することで、浮子３４が水中３４に沈んだ線量測定具１０Ｊの位置を知る目印となり、浮子３４によって線量測定具１０Ｊの位置を知ることができ、線量の測定が終了した線量測定具１０Ｊを紐６２を利用して水中３４から容易に引き上げることができる。
【符号の説明】
【０２２５】
１０Ａ  線量測定具
１０Ｂ  線量測定具
１０Ｃ  線量測定具
１０Ｄ  線量測定具
１０Ｅ  線量測定具
１０Ｆ  線量測定具
１０Ｇ  線量測定具
１０Ｈ  線量測定具
１０Ｉ  線量測定具
１０Ｊ  線量測定具
１１    長尺線材
１２    光刺激ルミネセンス線量計
１３    おもり
１４    包装袋
１５    連結線材
１６    リール
１７    表面
１８    裏面
１９    シール
２０    フック
２１    サルカン
２２    熱可塑性合成樹脂フィルム
２３    表面
２４    裏面
２５    第１収容部
２６    第２収容部
２７    両端縁部
２８    両側縁部
２９    一端部
３０    他端部
３１    接地おもり（接地手段）
３２    大地
３３    地表
３４    水中
３５    水底
３６    浮子
３７    安定おもり
３８    ドローン
３９    ローター
４０    森林
４１    支持架台
４２    支持ロッド
４３    下端支持台
４４    上端支持台
４５    原子力建屋
４６    支持ロッド
４７    支持具
４８    収容部
４９    第１ネット
５０    第２ネット
５１    長尺シート材
５２    密封スペース
５３    シール部
５４    地中
５５    突き刺しロッド
５６    水平プレート
５７    柄部
５８    先端部
５９    目盛り
６０    上端部
６１    伸縮棒
６２    紐
６３    挿通孔
６４    挿通金具
【図１】
2017037009.tif 000003
【図２】
2017037009.tif 000004
【図３】
2017037009.tif 000005
【図４】
2017037009.tif 000006
【図５】
2017037009.tif 000007
【図６】
2017037009.tif 000008
【図７】
2017037009.tif 000009
【図８】
2017037009.tif 000010
【図９】
2017037009.tif 000011
【図１０】
2017037009.tif 000012
【図１１】
2017037009.tif 000013
【図１３】
2017037009.tif 000014
【図１４】
2017037009.tif 000015
【図１５】
2017037009.tif 000016
【図１６】
2017037009.tif 000017
【図１７】
2017037009.tif 000018
【図１８】
2017037009.tif 000019
【図１９】
2017037009.tif 000020
【図２０】
2017037009.tif 000021
【図２１】
2017037009.tif 000022
【図２２】
2017037009.tif 000023
【図２３】
2017037009.tif 000024
【図２５】
2017037009.tif 000025
【図２６】
2017037009.tif 000026
【図２７】
2017037009.tif 000027
【図２８】
2017037009.tif 000028
【図２９】
2017037009.tif 000029
【図３０】
2017037009.tif 000030
【図３１】
2017037009.tif 000031
【図３２】
2017037009.tif 000032
【図３３】
2017037009.tif 000033
【図３４】
2017037009.tif 000034
【図３５】
2017037009.tif 000035
【図３６】
2017037009.tif 000036
【図１２】
2017037009.tif 000037
【図２４】
2017037009.tif 000038